(57)【要約】【課題】高変倍でありながら、良好な光学性能を有するズームレンズ、光学機器及びズームレンズの製造方法を提供する。【解決手段】光軸に沿って物体側より順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有し、広角端状態から望遠端状態への変倍に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が変化するように、第１〜第５レンズ群Ｇ１〜Ｇ５はそれぞれ光軸に沿って移動し、第５レンズ群Ｇ５は一旦物体側に移動した後に像側へ移動し、条件式  ０．０１０  ＜  （−ｆ２）／ｆｔ  ＜  ０．０３８を満足する。【選択図】  図１
2018077511.tif 000002
【特許請求の範囲】
【請求項１】
光軸に沿って物体側より順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを有し、
広角端状態から望遠端状態への変倍に際し、前記第１レンズ群と前記第２レンズ群との間隔が増加し、前記第２レンズ群と前記第３レンズ群との間隔が減少し、前記第３レンズ群と前記第４レンズ群との間隔が変化し、前記第４レンズ群と前記第５レンズ群との間隔が変化するように、前記第１レンズ群、前記第２レンズ群、前記第３レンズ群、前記第４レンズ群、前記第５レンズ群はそれぞれ光軸に沿って移動し、前記第５レンズ群は一旦物体側に移動した後に像側へ移動し、
以下の条件式を満足することを特徴とするズームレンズ。
０．０１０  ＜  （−ｆ２）／ｆｔ  ＜  ０．０３８
但し、
ｆ２：前記第２レンズ群の焦点距離、
ｆｔ：前記ズームレンズの望遠端状態における焦点距離。
【請求項２】
前記第１レンズ群は、光軸に沿って物体側より順に並んだ、負レンズと、第１の正レンズと、第２の正レンズと、第３の正レンズとからなり、
以下の条件式を満足することを特徴とする請求項１に記載のズームレンズ。
３０．０  ＜  νｄ１ａ  ＜  ５０．０
２４４．８  ＜  νｄ１ｂ＋νｄ１ｃ＋νｄ１ｄ  ＜  ２８５．０
但し、
νｄ１ａ：前記負レンズを構成する硝材のｄ線を基準とするアッベ数、
νｄ１ｂ：前記第１の正レンズを構成する硝材のｄ線を基準とするアッベ数、
νｄ１ｃ：前記第２の正レンズを構成する硝材のｄ線を基準とするアッベ数、
νｄ１ｄ：前記第３の正レンズを構成する硝材のｄ線を基準とするアッベ数。
【請求項３】
以下の条件式を満足することを特徴とする請求項１又は２に記載のズームレンズ。
０．０５０  ＜  ｆ３／ｆｔ  ＜  ０．０７５
但し、
ｆ３：前記第３レンズ群の焦点距離。
【請求項４】
以下の条件式を満足することを特徴とする請求項１〜３のいずれか一項に記載のズームレンズ。
０．７００  ＜  Ｄｍ３／（ｆｗ×ｆｔ）1/2  ＜  ０．７９５
但し、
Ｄｍ３：広角端状態から望遠端状態に変倍する際の前記第３レンズ群の光軸上の移動量、
ｆｗ：前記ズームレンズの望遠端状態における焦点距離。
【請求項５】
以下の条件式を満足することを特徴とする請求項１〜４のいずれか一項に記載のズームレンズ。
０．１８０  ＜  Ｄｍ１／ｆｔ  ＜  ０．２００
但し、
Ｄｍ１：広角端状態から望遠端状態に変倍する際の前記第１レンズ群の光軸上の移動量。
【請求項６】
以下の条件式を満足することを特徴とする請求項１〜５のいずれか一項に記載のズームレンズ。
０．００５  ＜  Ｄ５／ｆｔ  ＜  ０．０３０
但し、
Ｄ５：前記第５レンズ群の光軸上の厚さ。
【請求項７】
前記第３レンズ群は、少なくとも１枚の非球面レンズを有することを特徴とする請求項１〜６のいずれか一項に記載のズームレンズ。
【請求項８】
請求項１〜７のいずれか一項に記載のズームレンズを搭載することを特徴とする光学機器。
【請求項９】
光軸に沿って物体側より順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを有するズームレンズの製造方法であって、
広角端状態から望遠端状態への変倍に際し、前記第１レンズ群と前記第２レンズ群との間隔が増加し、前記第２レンズ群と前記第３レンズ群との間隔が減少し、前記第３レンズ群と前記第４レンズ群との間隔が変化し、前記第４レンズ群と前記第５レンズ群との間隔が変化するように、前記第１レンズ群、前記第２レンズ群、前記第３レンズ群、前記第４レンズ群、前記第５レンズ群はそれぞれ光軸に沿って移動し、前記第５レンズ群は一旦物体側に移動した後に像側へ移動し、
以下の条件式を満足するように、
レンズ鏡筒内に各レンズを配置することを特徴とするズームレンズの製造方法。
０．０１０  ＜  （−ｆ２）／ｆｔ  ＜  ０．０３８
但し、
ｆ２：前記第２レンズ群の焦点距離、
ｆｔ：前記ズームレンズの望遠端状態における焦点距離。
【発明の詳細な説明】
【技術分野】
【０００１】
本発明は、ズームレンズ、光学機器及びズームレンズの製造方法に関する。
【背景技術】
【０００２】
従来から、光軸に沿って物体側から順に並んだ、正の屈折力の第１レンズ群と、負の屈折力の第２レンズ群と、正の屈折力の第３レンズ群と、負の屈折力の第４レンズ群と、正の屈折力の第５レンズ群とからなり、各レンズ群を移動させて変倍を行う、ズームレンズが提案されている（例えば、特許文献１を参照）。
【先行技術文献】
【特許文献】
【０００３】
【特許文献１】特開２０１２−９８６９９号公報
【発明の概要】
【発明が解決しようとする課題】
【０００４】
近年、ズームレンズにおいては、高変倍、かつ、より良い光学性能であることが求められている。
【０００５】
本発明は、このような問題に鑑みてなされたものであり、高変倍でありながら、良好な光学性能を有するズームレンズ、光学機器及びズームレンズの製造方法を提供することを目的とする。
【課題を解決するための手段】
【０００６】
このような目的を達成するため、本発明に係るズームレンズは、光軸に沿って物体側より順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを有し、広角端状態から望遠端状態への変倍に際し、前記第１レンズ群と前記第２レンズ群との間隔が増加し、前記第２レンズ群と前記第３レンズ群との間隔が減少し、前記第３レンズ群と前記第４レンズ群との間隔が変化し、前記第４レンズ群と前記第５レンズ群との間隔が変化するように、前記第１レンズ群、前記第２レンズ群、前記第３レンズ群、前記第４レンズ群、前記第５レンズ群はそれぞれ光軸に沿って移動し、前記第５レンズ群は一旦物体側に移動した後に像側へ移動し、次の条件式を満足する。
【０００７】
０．０１０  ＜  （−ｆ２）／ｆｔ  ＜  ０．０３８
但し、
ｆ２：前記第２レンズ群の焦点距離、
ｆｔ：前記ズームレンズの望遠端状態における焦点距離。
【０００８】
本発明に係るズームレンズにおいて、前記第１レンズ群は、光軸に沿って物体側より順に並んだ、負レンズと、第１の正レンズと、第２の正レンズと、第３の正レンズとからなり、次の条件式を満足することが好ましい。
【０００９】
３０．０  ＜  νｄ１ａ  ＜  ５０．０
２４４．８  ＜  νｄ１ｂ＋νｄ１ｃ＋νｄ１ｄ  ＜  ２８５．０
但し、
νｄ１ａ：前記負レンズを構成する硝材のｄ線を基準とするアッベ数、
νｄ１ｂ：前記第１の正レンズを構成する硝材のｄ線を基準とするアッベ数、
νｄ１ｃ：前記第２の正レンズを構成する硝材のｄ線を基準とするアッベ数、
νｄ１ｄ：前記第３の正レンズを構成する硝材のｄ線を基準とするアッベ数。
【００１０】
本発明に係るズームレンズは、次の条件式を満足することが好ましい。
【００１１】
０．０５０  ＜  ｆ３／ｆｔ  ＜  ０．０７５
但し、
ｆ３：前記第３レンズ群の焦点距離。
【００１２】
本発明に係るズームレンズは、次の条件式を満足することが好ましい。
【００１３】
０．７００  ＜  Ｄｍ３／（ｆｗ×ｆｔ）１／２  ＜  ０．７９５
但し、
Ｄｍ３：広角端状態から望遠端状態に変倍する際の前記第３レンズ群の光軸上の移動量、
ｆｗ：前記ズームレンズの望遠端状態における焦点距離。
【００１４】
本発明に係るズームレンズは、次の条件式を満足することが好ましい。
【００１５】
０．１８０  ＜  Ｄｍ１／ｆｔ  ＜  ０．２００
但し、
Ｄｍ１：広角端状態から望遠端状態に変倍する際の前記第１レンズ群の光軸上の移動量。
【００１６】
本発明に係るズームレンズは、次の条件式を満足することが好ましい。
【００１７】
０．００５  ＜  Ｄ５／ｆｔ  ＜  ０．０３０
但し、
Ｄ５：前記第５レンズ群の光軸上の厚さ。
【００１８】
本発明に係るズームレンズにおいて、前記第３レンズ群は、少なくとも１枚の非球面レンズを有することが好ましい。
【００１９】
本発明に係る光学機器は、上述のいずれかのズームレンズを搭載する。
【００２０】
本発明に係るズームレンズの製造方法は、光軸に沿って物体側より順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とを有するズームレンズの製造方法であって、広角端状態から望遠端状態への変倍に際し、前記第１レンズ群と前記第２レンズ群との間隔が増加し、前記第２レンズ群と前記第３レンズ群との間隔が減少し、前記第３レンズ群と前記第４レンズ群との間隔が変化し、前記第４レンズ群と前記第５レンズ群との間隔が変化するように、前記第１レンズ群、前記第２レンズ群、前記第３レンズ群、前記第４レンズ群、前記第５レンズ群はそれぞれ光軸に沿って移動し、前記第５レンズ群は一旦物体側に移動した後に像側へ移動し、次の条件式を満足するように、レンズ鏡筒内に各レンズを配置する。
【００２１】
０．０１０  ＜  （−ｆ２）／ｆｔ  ＜  ０．０３８
但し、
ｆ２：前記第２レンズ群の焦点距離、
ｆｔ：前記ズームレンズの望遠端状態における焦点距離。
【発明の効果】
【００２２】
本発明によれば、高変倍でありながら、良好な光学性能を有するズームレンズ、光学機器及びズームレンズの製造方法を提供することができる。
【図面の簡単な説明】
【００２３】
【図１】第１実施例に係るズームレンズの構成を示す断面図及び広角端状態（Ｗ）から望遠端状態（Ｔ）までの各群の移動軌跡（矢印）を示す図である。
【図２】第１実施例に係るズームレンズの諸収差図であり、（ａ）は広角端状態における撮影距離無限遠の場合、（ｂ）は中間焦点距離状態１における撮影距離無限遠の場合をそれぞれ示す。
【図３】第１実施例に係るズームレンズの諸収差図であり、（ａ）は中間焦点距離状態２における撮影距離無限遠の場合、（ｂ）は望遠端状態における撮影距離無限遠の場合をそれぞれ示す。
【図４】第２実施例に係るズームレンズの構成を示す断面図及び広角端状態（Ｗ）から望遠端状態（Ｔ）までの各群の移動軌跡（矢印）を示す図である。
【図５】第２実施例に係るズームレンズの諸収差図であり、（ａ）は広角端状態における撮影距離無限遠の場合、（ｂ）は中間焦点距離状態１における撮影距離無限遠の場合をそれぞれ示す。
【図６】第２実施例に係るズームレンズの諸収差図であり、（ａ）は中間焦点距離状態２における撮影距離無限遠の場合、（ｂ）は望遠端状態における撮影距離無限遠の場合をそれぞれ示す。
【図７】第３実施例に係るズームレンズの構成を示す断面図及び広角端状態（Ｗ）から望遠端状態（Ｔ）までの各群の移動軌跡（矢印）を示す図である。
【図８】第３実施例に係るズームレンズの諸収差図であり、（ａ）は広角端状態における撮影距離無限遠の場合、（ｂ）は中間焦点距離状態１における撮影距離無限遠の場合をそれぞれ示す。
【図９】第３実施例に係るズームレンズの諸収差図であり、（ａ）は中間焦点距離状態２における撮影距離無限遠の場合、（ｂ）は望遠端状態における撮影距離無限遠の場合をそれぞれ示す。
【図１０】第４実施例に係るズームレンズの構成を示す断面図及び広角端状態（Ｗ）から望遠端状態（Ｔ）までの各群の移動軌跡（矢印）を示す図である。
【図１１】第４実施例に係るズームレンズの諸収差図であり、（ａ）は広角端状態における撮影距離無限遠の場合、（ｂ）は中間焦点距離状態１における撮影距離無限遠の場合をそれぞれ示す。
【図１２】第４実施例に係るズームレンズの諸収差図であり、（ａ）は中間焦点距離状態２における撮影距離無限遠の場合、（ｂ）は望遠端状態における撮影距離無限遠の場合をそれぞれ示す。
【図１３】第５実施例に係るズームレンズの構成を示す断面図及び広角端状態（Ｗ）から望遠端状態（Ｔ）までの各群の移動軌跡（矢印）を示す図である。
【図１４】第５実施例に係るズームレンズの諸収差図であり、（ａ）は広角端状態における撮影距離無限遠の場合、（ｂ）は中間焦点距離状態１における撮影距離無限遠の場合をそれぞれ示す。
【図１５】第５実施例に係るズームレンズの諸収差図であり、（ａ）は中間焦点距離状態２における撮影距離無限遠の場合、（ｂ）は望遠端状態における撮影距離無限遠の場合をそれぞれ示す。
【図１６】第６実施例に係るズームレンズの構成を示す断面図及び広角端状態（Ｗ）から望遠端状態（Ｔ）までの各群の移動軌跡（矢印）を示す図である。
【図１７】第６実施例に係るズームレンズの諸収差図であり、（ａ）は広角端状態における撮影距離無限遠の場合、（ｂ）は中間焦点距離状態１における撮影距離無限遠の場合をそれぞれ示す。
【図１８】第６実施例に係るズームレンズの諸収差図であり、（ａ）は中間焦点距離状態２における撮影距離無限遠の場合、（ｂ）は望遠端状態における撮影距離無限遠の場合をそれぞれ示す。
【図１９】（ａ）は本実施形態に係るデジタルスチルカメラの正面図であり、（ｂ）はデジタルスチルカメラの背面図である。
【図２０】図１９（ａ）中の矢印Ａ−Ａ´に沿った断面図である。
【図２１】本実施形態に係るズームレンズの製造方法を示すフローチャートである。
【発明を実施するための形態】
【００２４】
以下、実施形態について、図面を参照しながら説明する。本実施形態に係るズームレンズＺＬは、図１に示すように、光軸に沿って物体側より順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有し、広角端状態から望遠端状態への変倍（ズーミング）に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が変化するように、第１レンズ群Ｇ１、第２レンズ群Ｇ２、第３レンズ群Ｇ３、第４レンズ群Ｇ４、第５レンズ群Ｇ５はそれぞれ光軸に沿って移動し、第５レンズ群Ｇ５は一旦物体側に移動した後に像側へ移動するように構成される。
【００２５】
この構成により、全長を小さく保ちつつ、変倍比を大きくできるという効果が得られる。
【００２６】
上記構成のもと、本実施形態に係るズームレンズＺＬは、次の条件式（１）を満足するように構成される。
【００２７】
０．０１０  ＜  （−ｆ２）／ｆｔ  ＜  ０．０３８  …（１）
但し、
ｆ２：第２レンズ群Ｇ２の焦点距離、
ｆｔ：ズームレンズＺＬの望遠端状態における焦点距離。
【００２８】
条件式（１）は、第２レンズ群Ｇ２の焦点距離と、望遠端状態におけるズームレンズＺＬの焦点距離との関係を規定したものである。条件式（１）を満足することにより、球面収差や変倍による収差変動を抑えることができる。
【００２９】
条件式（１）の上限値を上回ると、第２レンズ群Ｇ２のパワーが弱くなりすぎてしまい、他のレンズ群のパワーを強くすることで、球面収差、像面湾曲の補正が困難となる。また、第２レンズ群Ｇ２の移動量が大きくなり、光学全長が伸び、前玉径も大きくなるので小型化の達成が困難となる。条件式（１）の下限値を下回ると、第２レンズ群Ｇ２のパワーが強くなりすぎてしまい、非点収差、像面湾曲の補正が困難となる。
【００３０】
本実施形態の効果をより確実なものとするために、条件式（１）の上限値を０．０３５とすることが好ましい。本実施形態の効果をより確実なものとするために、条件式（１）の下限値を０．０２０とすることが好ましい。
【００３１】
本実施形態に係るズームレンズＺＬにおいて、第１レンズ群Ｇ１は、光軸に沿って物体側より順に並んだ、負レンズと、第１の正レンズと、第２の正レンズと、第３の正レンズとからなり、次の条件式（２）、（３）を満足することが好ましい。
【００３２】
３０．０  ＜  νｄ１ａ  ＜  ５０．０  …（２）
２４４．８  ＜  νｄ１ｂ＋νｄ１ｃ＋νｄ１ｄ  ＜  ２８５．０  …（３）
但し、
νｄ１ａ：第１レンズ群Ｇ１内の負レンズを構成する硝材のｄ線を基準とするアッベ数、
νｄ１ｂ：第１レンズ群Ｇ１内の第１の正レンズを構成する硝材のｄ線を基準とするアッベ数、
νｄ１ｃ：第１レンズ群Ｇ１内の第２の正レンズを構成する硝材のｄ線を基準とするアッベ数、
νｄ１ｄ：第１レンズ群Ｇ１内の第３の正レンズを構成する硝材のｄ線を基準とするアッベ数。
【００３３】
条件式（２）は、第１レンズ群Ｇ１内における負レンズ（図１ではレンズＬ１１が該当）のアッベ数を規定したものである。条件式（２）を満足することにより、主に望遠端状態における軸上色収差、倍率色収差を抑えることができる。条件式（２）の上限値を上回ると、色を補正するために前記負レンズのアッベ数が大きくなり、このような硝材は概して屈折率が低くなることから、コマ収差、像面湾曲の補正が困難となる。条件式（２）の下限値を下回ると、軸上色収差、倍率色収差の補正が困難となる。
【００３４】
本実施形態の効果をより確実なものとするために、条件式（２）の上限値を４１．０とすることが好ましい。本実施形態の効果をより確実なものとするために、条件式（２）の下限値を３５．０とすることが好ましい。
【００３５】
条件式（３）は、第１レンズ群Ｇ１内における第１〜第３の正レンズ（図１ではレンズＬ１２〜Ｌ１４が該当）のアッベ数を規定したものである。条件式（３）を満足することにより、主に望遠端状態における軸上色収差、倍率色収差を抑えることができる。条件式（３）の上限値を上回ると、色を補正するために上述の第１レンズ群Ｇ１内の負レンズのアッベ数が大きくなり、このような硝材は概して屈折率が低くなることから、コマ収差、像面湾曲の補正が困難となる。条件式（３）の下限値を下回ると、軸上色収差、倍率色収差の補正が困難となる。
【００３６】
本実施形態の効果をより確実なものとするために、条件式（３）の上限値を２７５．０とすることが好ましい。本実施形態の効果をより確実なものとするために、条件式（３）の下限値を２４７．０とすることが好ましい。
【００３７】
本実施形態に係るズームレンズＺＬは、次の条件式（４）を満足することが好ましい。
【００３８】
０．０５０  ＜  ｆ３／ｆｔ  ＜  ０．０７５  …（４）
但し、
ｆ３：第３レンズ群Ｇ３の焦点距離。
【００３９】
条件式（４）は、第３レンズ群Ｇ３の焦点距離と、望遠端状態におけるズームレンズＺＬの焦点距離との関係を規定したものである。条件式（４）を満足することにより、球面収差や変倍による収差変動を抑えることができる。条件式（４）の上限値を上回ると、第３レンズ群Ｇ３のパワーが弱くなり、変倍時のレンズ移動量が大きくなり、全長が増大する。また、望遠端状態における非点収差、コマ収差の補正が困難となる。条件式（４）の下限値を下回ると、第３レンズ群Ｇ３のパワーが強くなり、望遠端状態における球面収差を過剰に補正してしまい、コマ収差、像面湾曲の補正が困難となる。
【００４０】
本実施形態の効果を確実なものとするために、条件式（４）の下限値を０．０６０とすることが好ましい。
【００４１】
本実施形態に係るズームレンズＺＬは、次の条件式（５）を満足することが好ましい。
【００４２】
０．７００  ＜  Ｄｍ３／（ｆｗ×ｆｔ）1/2  ＜  ０．７９５  …（５）
但し、
Ｄｍ３：広角端状態から望遠端状態に変倍する際の第３レンズ群Ｇ３の光軸上の移動量、
ｆｗ：ズームレンズＺＬの望遠端状態における焦点距離。
【００４３】
条件式（５）は、第３レンズ群Ｇ３の広角端状態から望遠端状態への移動量と、望遠端状態におけるズームレンズＺＬの焦点距離との関係を規定したものである。条件式（５）の上限値を上回ると、軸上色収差が悪化する。条件式（５）の下限値を下回ると、第３レンズ群Ｇ３のパワーが強くなり、望遠端状態における球面収差を過剰に補正してしまい、コマ収差、像面湾曲の補正が困難となる。
【００４４】
本実施形態の効果を確実なものとするために、条件式（５）の上限値を０．７５１とすることが好ましい。本実施形態の効果を確実なものとするために、条件式（５）の下限値を０．７０３とすることが好ましい。
【００４５】
本実施形態に係るズームレンズＺＬは、次の条件式（６）を満足することが好ましい。
【００４６】
０．１８０  ＜  Ｄｍ１／ｆｔ  ＜  ０．２００  …（６）
但し、
Ｄｍ１：広角端状態から望遠端状態に変倍する際の第１レンズ群Ｇ１の光軸上の移動量。
【００４７】
条件式（６）は、第１レンズ群Ｇ１の広角端状態から望遠端状態への変倍時の移動量と、望遠端状態におけるズームレンズＺＬの焦点距離との関係を規定したものである。条件式（６）の上限値を上回ると、第１レンズ群Ｇ１のパワーが弱くなり、光学全長が大きくなる。また、光学全長を小さくするために、第３レンズ群Ｇ３のパワーを強くすると、球面収差、軸上色収差の補正が困難となる。条件式（６）の下限値を下回ると、第１レンズ群Ｇ１のパワーが強くなり、軸上色収差、倍率色収差、像面湾曲の補正が困難となる。
【００４８】
本実施形態の効果を確実なものとするために、条件式（６）の上限値を０．１９６とすることが好ましい。本実施形態の効果を確実なものとするために、条件式（６）の下限値を０．１８３とすることが好ましい。
【００４９】
本実施形態に係るズームレンズＺＬは、次の条件式（７）を満足することが好ましい。
【００５０】
０．００５  ＜  Ｄ５／ｆｔ  ＜  ０．０３０  …（７）
但し、
Ｄ５：第５レンズ群Ｇ５の光軸上の厚さ。
【００５１】
条件式（７）は、第５レンズ群Ｇ５の光軸上の厚さと、望遠端状態におけるズームレンズＺＬの焦点距離との関係を規定したものである。条件式（７）の上限値を上回ると、第５レンズ群Ｇ５の光軸上の厚さが増加する。また、群間隔を維持しようとすると、コマ収差の補正が困難となる。条件式（７）の下限値を下回ると、第５レンズ群Ｇ５の光軸上の厚さが減少する。レンズ厚を一定以上稼ぐためには、第５レンズ群Ｇ５を構成するレンズ
枚数の制約が厳しくなることから、色収差の補正（特に中間域）が困難となる。
【００５２】
本実施形態の効果を確実なものとするために、条件式（７）の上限値を０．０２５とすることが好ましい。本実施形態の効果を確実なものとするために、条件式（７）の下限値を０．０１０とすることが好ましい。
【００５３】
本実施形態に係るズームレンズＺＬにおいて、第３レンズ群Ｇ３は、少なくとも１枚の非球面レンズを有することが好ましい。
【００５４】
この構成により、球面収差を良好に補正することができる。
【００５５】
以上のような構成を備える本実施形態に係るズームレンズＺＬによれば、高変倍でありながら、良好な光学性能を有するズームレンズを実現することができる。
【００５６】
図１９及び図２０に、上述のズームレンズＺＬを備える光学機器として、デジタルスチルカメラＣＡＭの構成を示す。このデジタルスチルカメラＣＡＭは、不図示の電源釦を押すと、撮影レンズ（ズームレンズＺＬ）の不図示のシャッタが開放されて、ズームレンズＺＬで被写体（物体）からの光が集光され、像面Ｉ（図１参照）に配置された撮像素子Ｃ（例えば、ＣＣＤやＣＭＯＳ等）に結像される。撮像素子Ｃに結像された被写体像は、デジタルスチルカメラＣＡＭの背後に配置された液晶モニターＭに表示される。撮影者は、液晶モニターＭを見ながら被写体像の構図を決めた後、レリーズ釦Ｂ１を押し下げて被写体像を撮像素子Ｃで撮影し、不図示のメモリーに記録保存する。
【００５７】
カメラＣＡＭには、被写体が暗い場合に補助光を発光する補助光発光部ＥＦ、デジタルスチルカメラＣＡＭの種々の条件設定等に使用するファンクションボタンＢ２等が配置されている。ここでは、カメラＣＡＭとズームレンズＺＬとが一体に成形されたコンパクトタイプのカメラを例示したが、光学機器としては、ズームレンズＺＬを有するレンズ鏡筒とカメラボディ本体とが着脱可能な一眼レフカメラでも良い。
【００５８】
以上のような構成を備える本実施形態に係るカメラＣＡＭによれば、撮影レンズとして上述のズームレンズＺＬを搭載することにより、高変倍でありながら、良好な光学性能を有するカメラを実現することができる。
【００５９】
続いて、図２１を参照しながら、上述のズームレンズＺＬの製造方法について概説する。まず、レンズ鏡筒内に、光軸に沿って物体側より順に並んだ、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とを有するように、各レンズを配置する（ステップＳＴ１０）。このとき、広角端状態から望遠端状態への変倍に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が変化するように、第１レンズ群Ｇ１、第２レンズ群Ｇ２、第３レンズ群Ｇ３、第４レンズ群Ｇ４、第５レンズ群Ｇ５はそれぞれ光軸に沿って移動し、第５レンズ群Ｇ５は一旦物体側に移動した後に像側へ移動するように、各レンズを鏡筒内に配置する（ステップＳＴ２０）。次の条件式（１）を満足するように、各レンズを鏡筒内に配置する（ステップＳＴ３０）。
【００６０】
０．０１０  ＜  （−ｆ２）／ｆｔ  ＜  ０．０３８  …（１）
但し、
ｆ２：第２レンズ群Ｇ２の焦点距離、
ｆｔ：ズームレンズＺＬの望遠端状態における焦点距離。
【００６１】
本実施形態におけるレンズ配置の一例を挙げると、図１に示すズームレンズＺＬは、正の屈折力を有する第１レンズ群Ｇ１として、光軸に沿って物体側から順に、物体側に凸面を向けた負メニスカスレンズＬ１１と両凸形状の正レンズＬ１２との接合レンズと、物体側に凸面を向けた正メニスカスレンズＬ１３と、物体側に凸面を向けた正メニスカスレンズＬ１４とを鏡筒内に配置している。負の屈折力を有する第２レンズ群Ｇ２として、光軸に沿って物体側から順に、物体側に凸面を向けた負メニスカスレンズＬ２１と、両凹形状の負レンズＬ２２と、両凸形状の正レンズＬ２３と両凹形状の負レンズＬ２４との接合レンズとを鏡筒内に配置している。正の屈折力を有する第３レンズ群Ｇ３として、光軸に沿って物体側から順に、物体側に凸面を向けた正メニスカスレンズＬ３１と、両凸形状の正レンズＬ３２と両凹形状の負レンズＬ３３との接合レンズと、両凸形状の正レンズＬ３４とを鏡筒内に配置している。負の屈折力を有する第４レンズ群Ｇ４として、物体側に凸面を向けた負メニスカスレンズＬ４１を鏡筒内に配置している。正の屈折力を有する第５レンズ群Ｇ５として、光軸に沿って物体側から順に、両凸形状の正レンズＬ５１と両凹形状の負レンズＬ５２との接合レンズを鏡筒内に配置している。また、各レンズは、条件式（１）を満足するように、鏡筒内に配置されている（条件式（１）の対応値は0.028）。
【００６２】
上記の製造方法によれば、高変倍でありながら、良好な光学性能を有するズームレンズを製造することができる。
【実施例】
【００６３】
これより本実施形態に係る各実施例について、図面に基づいて説明する。以下に、表１〜表６を示すが、これらは第１実施例〜第６実施例における各諸元の表である。
【００６４】
なお、第１実施例に係る図１に対する各参照符号は、参照符号の桁数の増大による説明の煩雑化を避けるため、実施例ごとに独立して用いている。ゆえに、他の実施例に係る図面と共通の参照符号を付していても、それらは他の実施例とは必ずしも共通の構成ではない。
【００６５】
各実施例では収差特性の算出対象として、Ｃ線（波長656.2730nm）、ｄ線（波長587.5620nm）、Ｆ線（波長486.1330nm）、ｇ線（波長435.8350nm）を選んでいる。
【００６６】
表中の［レンズ諸元］において、面番号は光線の進行する方向に沿った物体側からの光学面の順序、Ｒは各光学面の曲率半径、Ｄは各光学面から次の光学面（又は像面）までの光軸上の距離である面間隔、ｎｄは光学部材の材質のｄ線に対する屈折率、νｄは光学部材の材質のｄ線を基準とするアッベ数をそれぞれ示す。物面は物体面、（可変）は可変の面間隔、曲率半径の「∞」は平面又は開口、（絞りＳ）は開口絞りＳ、像面は像面Ｉをそれぞれ示す。空気の屈折率「1.00000」は省略する。光学面が非球面である場合には、面
番号に＊印を付し、曲率半径Ｒの欄には近軸曲率半径を示す。
【００６７】
表中の［非球面データ］には、［レンズ諸元］に示した非球面について、その形状を次式（ａ）で示す。Ｘ（ｙ）は非球面の頂点における接平面から高さｙにおける非球面上の位置までの光軸方向に沿った距離を、Ｒは基準球面の曲率半径（近軸曲率半径）を、κは円錐定数を、Ａｉは第ｉ次の非球面係数を示す。「Ｅ-n」は、「×１０-n」を示す。例えば、1.234E-05＝1.234×10-5である。
【００６８】
Ｘ（ｙ）＝（ｙ2／Ｒ）／｛１＋（１−κ×ｙ2／Ｒ2）1/2｝＋Ａ4×ｙ4＋Ａ6×ｙ6＋Ａ8×ｙ8＋Ａ10×ｙ10  …（ａ）
【００６９】
表中の［全体諸元］において、ｆはレンズ全系の焦点距離、ＦＮｏはＦナンバー、ωは
半画角（最大入射角、単位：°）、Ｙは像高、ＴＬは光学全長（光軸上でのレンズ最前面から近軸像面までの距離）、Ｂｆはバックフォーカス（光軸上でのレンズ最終面から近軸像面までの距離）を示す。
【００７０】
表中の［ズーミングデータ］において、広角端、中間焦点距離１、中間焦点距離２、望遠端の各状態における可変間隔の値Ｄｉを示す。なお、Ｄｉは、第ｉ面と第（ｉ＋１）面の可変間隔を示す。
【００７１】
表中の［ズームレンズ群データ］において、Ｇは群番号、群初面は各群の最も物体側の面番号、群焦点距離は各群の焦点距離、レンズ構成長は各群の最も物体側のレンズ面から最も像側のレンズ面までの光軸上での距離を示す。
【００７２】
表中の［条件式］には、上記の条件式（１）〜（７）に対応する値を示す。
【００７３】
以下、全ての諸元値において、掲載されている焦点距離ｆ、曲率半径Ｒ、面間隔Ｄ、その他の長さ等は、特記のない場合一般に「ｍｍ」が使われるが、ズームレンズは比例拡大又は比例縮小しても同等の光学性能が得られるので、これに限られるものではない。また、単位は「ｍｍ」に限定されることなく、他の適当な単位を用いることが可能である。
【００７４】
ここまでの表の説明は全ての実施例において共通であり、以下での説明を省略する。
【００７５】
（第１実施例）
第１実施例について、図１〜図３及び表１を用いて説明する。第１実施例に係るズームレンズＺＬ（ＺＬ１）は、図１に示すように、光軸に沿って物体側から順に並んだ、正の屈折力を有する第１レンズ群Ｇ１と、負の屈折力を有する第２レンズ群Ｇ２と、光量を調節することを目的とした開口絞りＳと、正の屈折力を有する第３レンズ群Ｇ３と、負の屈折力を有する第４レンズ群Ｇ４と、正の屈折力を有する第５レンズ群Ｇ５とから構成される。
【００７６】
第１レンズ群Ｇ１は、光軸に沿って物体側から順に並んだ、物体側に凸面を向けた負メニスカスレンズＬ１１と両凸形状の正レンズＬ１２との接合レンズと、物体側に凸面を向けた正メニスカスレンズＬ１３と、物体側に凸面を向けた正メニスカスレンズＬ１４とから構成される。
【００７７】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と両凹形状の負レンズＬ２４との接合レンズとから構成される。
【００７８】
第３レンズ群Ｇ３は、光軸に沿って物体側から順に並んだ、物体側に凸面を向けた正メニスカスレンズＬ３１と、両凸形状の正レンズＬ３２と両凹形状の負レンズＬ３３との接合レンズと、両凸形状の正レンズＬ３４とから構成される。正メニスカスレンズＬ３１は、物体側の面、像側の面がともに非球面である。
【００７９】
第４レンズ群Ｇ４は、物体側に凸面を向けた負メニスカスレンズＬ４１から構成される。
【００８０】
第５レンズ群Ｇ５は、光軸に沿って物体側から順に並んだ、両凸形状の正レンズＬ５１と両凹形状の負レンズＬ５２との接合レンズから構成される。
【００８１】
第５レンズ群Ｇ５と像面Ｉとの間に、フィルタ群ＦＬが配置されている。フィルタ群Ｆ
Ｌは、像面Ｉに配設されるＣＣＤ等の、固体撮像素子の限界解像以上の空間周波数をカットするためのローパスフィルターや赤外カットフィルター等のガラスブロックで構成されている。
【００８２】
本実施例に係るズームレンズＺＬ１は、広角端状態から望遠端状態への変倍に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増加するように、５つのレンズ群Ｇ１〜Ｇ５が全て移動する。具体的には、第１レンズ群Ｇ１は、変倍に際し、物体側へ移動する。第２レンズ群Ｇ２は、変倍に際し、像側へ移動する。第３レンズ群Ｇ３は、変倍に際し、物体側へ移動する。第４レンズ群Ｇ４は、変倍に際し、物体側へ移動する。第５レンズ群Ｇ５は、変倍に際し、一旦物体側に移動し、その後像側へ移動する。また、明るさを決定する開口絞りＳは、変倍に際し、第３レンズ群Ｇ３と一体となって物体側へ移動する。
【００８３】
下記の表１に、第１実施例における各諸元の値を示す。表１における面番号１〜３１が、図１に示すｍ１〜ｍ３１の各光学面に対応している。
【００８４】
（表１）
［レンズ諸元］
面番号    Ｒ           Ｄ        ｎｄ        νｄ
物面      ∞
1   128.63048      1.800      1.90265      35.73
2    64.40586      5.700      1.43700      95.00
3 -1617.44790      0.200
4    70.78832      4.400      1.49782      82.57
5   511.22339      0.200    
6    51.16451      4.850      1.43700      95.00
7   215.71442      D7(可変)
8   525.00841      1.000      1.83481      42.73
9     7.77606      4.500
10  -24.00000      0.900      1.80400      46.60
11   95.29080      0.200
12   15.75086      3.500      1.92286      20.88
13  -25.78863      0.800      2.00100      29.14
14   33.59867      D14(可変) 
15      ∞         0.750      (絞りＳ)
＊16    9.79260      2.600      1.55332      71.67
＊17  117.30756      0.200
18   13.59417      2.200      1.49782      82.57
19  -65.06701      0.800      1.78590      44.17
20    9.42445      0.900
21   25.00000      1.800      1.48749      70.31
22  -15.28940      D22(可変)
23   80.00000      0.900      1.53110      55.91
24   23.50004      D24(可変)
25   16.76178      2.600      1.60300      65.44
26  -37.64909      0.800      1.90366      31.27
27 1973.86690      D27(可変)
28      ∞         0.210      1.51680      63.88
29      ∞         1.218
30      ∞         0.500      1.51680      63.88
31      ∞         Bf
像面      ∞
［非球面データ］
第16面
κ=-0.0803,A4=-5.58440E-05,A6= 0.00000E+00,A8= 0.00000E+00,A10= 0.00000E+00
第17面
κ= 0.0000,A4= 6.70110E-05,A6= 0.00000E+00,A8= 0.00000E+00,A10= 0.00000E+00
［全体諸元］
ズーム比  61.3632
広角端       中間１      中間２      望遠端
ｆ         4.40003    12.31499     96.46984    270.00031
ＦＮｏ     3.20589     4.18640      5.12872      6.48043
ω        44.12966    18.32373      2.42668      0.84589
Ｙ         7.00000     8.10000      8.10000      8.10000
ＴＬ      98.05298   107.66203    144.40711    149.23309
Ｂｆ       0.53004     0.53010     0.53006      0.52992
［ズーミングデータ］
広角端       中間１      中間２      望遠端
D7         0.73321    18.22120     55.13321    61.05461
D14       36.49439    18.01833      5.83157    1.49436
D22        1.01849     5.23136      8.91849    7.37959
D24        6.62610     8.74141      8.97415    31.52874
D27        9.12276    13.39164     21.49164     3.71788
［ズームレンズ群データ］
群番号    群初面    群焦点距離   レンズ構成長
Ｇ１       1       79.50542       17.150
Ｇ２       8       -7.53210       10.900
Ｇ３      16       17.90555        8.500
Ｇ４      23      -63.00000        0.900
Ｇ５      25       35.67710        3.400
［条件式］
条件式（１）  （−ｆ２）／ｆｔ  ＝  ０．０２８
条件式（２）  νｄ１ａ  ＝  ３５．７３
条件式（３）  νｄ１ｂ＋νｄ１ｃ＋νｄ１ｄ  ＝  ２７２．５７
条件式（４）  ｆ３／ｆｔ  ＝  ０．０６６
条件式（５）  Ｄｍ３／（ｆｗ×ｆｔ）1/2  ＝  −０．７５０
条件式（６）  Ｄｍ１／ｆｔ  ＝  −０．１９０
条件式（７）  Ｄ５／ｆｔ  ＝  ０．０１３
【００８５】
表１から、本実施例に係るズームレンズＺＬ１は、条件式（１）〜（７）を満たすことが分かる。
【００８６】
図２、図３は、第１実施例に係るズームレンズＺＬ１の諸収差図（球面収差図、非点収差図、歪曲収差図、コマ収差図及び倍率色収差図）である。具体的には、図２（ａ）は広
角端状態（f=4.4mm）における撮影距離無限遠での諸収差図、図２（ｂ）は中間焦点距離
状態１（f=12.3mm）における撮影距離無限遠での諸収差図、図３（ａ）は中間焦点距離状態２（f=96.5mm）における撮影距離無限遠での諸収差図、図３（ｂ）は望遠端状態（f=270.0mm）における撮影距離無限遠での諸収差図である。
【００８７】
各収差図において、ＦＮＯはＦナンバー、Ｙは像高、Ａは半画角を示す。ｄはｄ線、ｇはｇ線、ＣはＣ線、ＦはＦ線における収差を示す。また、記載のないものは、ｄ線における収差を示す。球面収差図において、実線は球面収差を、破線は正弦条件を示す。非点収差図において、実線はサジタル像面、破線はメリジオナル像面を示す。コマ収差図において、実線はメリジオナルコマを示す。
【００８８】
ここまでの収差図に関する説明は全ての実施例において共通であり、以下での説明を省略する。
【００８９】
図２、図３に示す各収差図から明らかなように、第１実施例に係るズームレンズＺＬ１は、広角端状態から望遠端状態までの各焦点距離状態において、諸収差が良好に補正され、優れた光学性能を有することが分かる。
【００９０】
（第２実施例）
第２実施例について、図４〜図６及び表２を用いて説明する。第２実施例に係るズームレンズＺＬ（ＺＬ２）は、図４に示すように、光軸に沿って物体側から順に並んだ、正の屈折力を有する第１レンズ群Ｇ１と、負の屈折力を有する第２レンズ群Ｇ２と、光量を調節することを目的とした開口絞りＳと、正の屈折力を有する第３レンズ群Ｇ３と、負の屈折力を有する第４レンズ群Ｇ４と、正の屈折力を有する第５レンズ群Ｇ５とから構成される。
【００９１】
第１レンズ群Ｇ１は、光軸に沿って物体側から順に並んだ、物体側に凸面を向けた負メニスカスレンズＬ１１と両凸形状の正レンズＬ１２との接合レンズと、物体側に凸面を向けた正メニスカスレンズＬ１３と、物体側に凸面を向けた正メニスカスレンズＬ１４とから構成される。
【００９２】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と両凹形状の負レンズＬ２４との接合レンズとから構成される。
【００９３】
第３レンズ群Ｇ３は、光軸に沿って物体側から順に並んだ、両凸形状の正レンズＬ３１と、両凸形状の正レンズＬ３２と両凹形状の負レンズＬ３３との接合レンズと、両凸形状の正レンズＬ３４とから構成される。正レンズＬ３１は、物体側の面、像側の面がともに非球面である。
【００９４】
第４レンズ群Ｇ４は、物体側に凸面を向けた負メニスカスレンズＬ４１から構成される。
【００９５】
第５レンズ群Ｇ５は、光軸に沿って物体側から順に並んだ、両凸形状の正レンズＬ５１と物体側に凹面を向けた負メニスカスレンズＬ５２との接合レンズから構成される。
【００９６】
第５レンズ群Ｇ５と像面Ｉとの間に、フィルタ群ＦＬが配置されている。フィルタ群ＦＬは、像面Ｉに配設されるＣＣＤ等の、固体撮像素子の限界解像以上の空間周波数をカットするためのローパスフィルターや赤外カットフィルター等のガラスブロックで構成されている。
【００９７】
本実施例に係るズームレンズＺＬ２は、広角端状態から望遠端状態への変倍に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が増加するように、５つのレンズ群Ｇ１〜Ｇ５が全て移動する。具体的には、第１レンズ群Ｇ１は、変倍に際し、物体側へ移動する。第２レンズ群Ｇ２は、変倍に際し、像側へ移動する。第３レンズ群Ｇ３は、変倍に際し、物体側へ移動する。第４レンズ群Ｇ４は、変倍に際し、物体側へ移動する。第５レンズ群Ｇ５は、変倍に際し、一旦物体側に移動し、その後像側へ移動する。また、明るさを決定する開口絞りＳは、変倍に際し、第３レンズ群Ｇ３と一体となって物体側へ移動する。
【００９８】
下記の表２に、第２実施例における各諸元の値を示す。表２における面番号１〜３１が、図４に示すｍ１〜ｍ３１の各光学面に対応している。
【００９９】
（表２）
［レンズ諸元］
面番号    Ｒ           Ｄ        ｎｄ        νｄ
物面      ∞
1   131.49675      1.800      1.91082      35.25
2    63.37948      5.700      1.43700      95.00
3 -1287.44760      0.200   
4    66.21576      4.500      1.49782      82.57
5   359.05726      0.200    
6    55.39804      4.200      1.49782      82.57
7   216.07982      D7(可変)
8   592.06103      1.000      1.83481      42.73
9     7.86967      4.500
10  -32.00000      0.900      1.83481      42.73
11   35.35747      0.200
12   15.57738      3.800      1.84666      23.80
13  -21.18702      0.900      1.88300      40.66
14   56.88565      D14(可変) 
15      ∞         0.750      (絞りＳ)
＊16    9.42723      2.900      1.55332      71.67
＊17  -48.03390      0.200
18    8.89173      2.500      1.49782      82.57
19  -90.43764      0.800      1.88300      40.66
20    7.07893      1.000
21   28.09612      1.600      1.51742      52.20
22  -35.31617      D22(可変)
23  100.00000      0.900      1.53110      55.91
24   32.50000      D24(可変)
25   15.33226      2.400      1.48749      70.31
26  -39.45166      0.800      1.90366      31.27
27 -126.38528      D27(可変)   
28      ∞         0.210      1.51680      63.88
29      ∞         1.218
30      ∞         0.500      1.51680      63.88
31      ∞         Bf
像面      ∞
［非球面データ］
第16面
κ=-0.8584,A4= 3.91510E-05,A6= 1.15410E-06,A8= 0.00000E+00,A10= 0.00000E+00
第17面
κ= 0.0000,A4= 2.59680E-05,A6= 8.94520E-07,A8= 0.00000E+00,A10= 0.00000E+00
［全体諸元］
ズーム比  56.8632
広角端       中間１      中間２      望遠端
ｆ         4.39652    33.65450    91.94556    250.00006
ＦＮｏ     3.27151     5.07394      5.41747      6.03761
ω        44.14909     6.88501      2.54373      0.91513
Ｙ         7.00000     8.10000      8.10000      8.10000
ＴＬ      98.62677   127.95776     141.35808   144.51943
Ｂｆ       0.53025     0.53459    0.53416       0.52994
［ズーミングデータ］
広角端       中間１      中間２      望遠端
D7         0.96353    40.26128     54.82392    61.08322
D14       39.88666    11.86995      6.76995     1.84995
D22        1.10140    6.43847      8.29510     9.39198
D24        6.10994    6.66110      6.93295    24.38810
D27        6.35699    18.51436     20.32399     3.59824
［ズームレンズ群データ］
群番号    群初面    群焦点距離    レンズ構成長
Ｇ１       1       79.59146        16.600
Ｇ２       8       -8.00986        11.300
Ｇ３      16       18.05665         9.000
Ｇ４      23      -91.07864         0.900
Ｇ５      25       35.08142         3.200
［条件式］
条件式（１）  （−ｆ２）／ｆｔ  ＝  ０．０３２
条件式（２）  νｄ１ａ  ＝  ３５．２５
条件式（３）  νｄ１ｂ＋νｄ１ｃ＋νｄ１ｄ＝２６０．１４
条件式（４）  ｆ３／ｆｔ  ＝  ０．０７２
条件式（５）  Ｄｍ３／（ｆｗ×ｆｔ）1/2  ＝  −０．７１８
条件式（６）  Ｄｍ１／ｆｔ  ＝  −０．１８４
条件式（７）  Ｄ５／ｆｔ  ＝  ０．０１３
【０１００】
表２から、本実施例に係るズームレンズＺＬ２は、条件式（１）〜（７）を満たすことが分かる。
【０１０１】
図５、図６は、第２実施例に係るズームレンズＺＬ２の諸収差図（球面収差図、非点収差図、歪曲収差図、コマ収差図及び倍率色収差図）である。具体的には、図５（ａ）は広角端状態（f=4.4mm）における撮影距離無限遠での諸収差図、図５（ｂ）は中間焦点距離
状態１（f=33.7mm）における撮影距離無限遠での諸収差図、図６（ａ）は中間焦点距離状態２（f=91.9mm）における撮影距離無限遠での諸収差図、図６（ｂ）は望遠端状態（f=25
0.0mm）における撮影距離無限遠での諸収差図である。
【０１０２】
図５、図６に示す各収差図から明らかなように、第２実施例に係るズームレンズＺＬ２は、広角端状態から望遠端状態までの各焦点距離状態において、諸収差が良好に補正され、優れた光学性能を有することが分かる。
【０１０３】
（第３実施例）
第３実施例について、図７〜図９及び表３を用いて説明する。第３実施例に係るズームレンズＺＬ（ＺＬ３）は、図７に示すように、光軸に沿って物体側から順に並んだ、正の屈折力を有する第１レンズ群Ｇ１と、負の屈折力を有する第２レンズ群Ｇ２と、光量を調節することを目的とした開口絞りＳと、正の屈折力を有する第３レンズ群Ｇ３と、負の屈折力を有する第４レンズ群Ｇ４と、正の屈折力を有する第５レンズ群Ｇ５とから構成される。
【０１０４】
第１レンズ群Ｇ１は、光軸に沿って物体側から順に並んだ、物体側に凸面を向けた負メニスカスレンズＬ１１と両凸形状の正レンズＬ１２との接合レンズと、物体側に凸面を向けた正メニスカスレンズＬ１３と、物体側に凸面を向けた正メニスカスレンズＬ１４とから構成される。
【０１０５】
第２レンズ群Ｇ２は、光軸に沿って物体側から順に並んだ、物体側に凸面を向けた負メニスカスレンズＬ２１と、両凹形状の負レンズＬ２２と物体側に凸面を向けた正メニスカスレンズＬ２３との接合レンズと、物体側に凸面を向けた正メニスカスレンズＬ２４とから構成される。
【０１０６】
第３レンズ群Ｇ３は、光軸に沿って物体側から順に並んだ、物体側に凸面を向けた正メニスカスレンズＬ３１と、両凸形状の正レンズＬ３２と両凹形状の負レンズＬ３３との接合レンズと、両凸形状の正レンズＬ３４とから構成される。正メニスカスレンズＬ３１は、物体側の面、像側の面がともに非球面である。
【０１０７】
第４レンズ群Ｇ４は、物体側に凸面を向けた負メニスカスレンズＬ４１から構成される。
【０１０８】
第５レンズ群Ｇ５は、光軸に沿って物体側から順に並んだ、両凸形状の正レンズＬ５１と物体側に凹面を向けた負メニスカスレンズＬ５２との接合レンズから構成される。
【０１０９】
第５レンズ群Ｇ５と像面Ｉとの間に、フィルタ群ＦＬが配置されている。フィルタ群ＦＬは、像面Ｉに配設されるＣＣＤ等の、固体撮像素子の限界解像以上の空間周波数をカットするためのローパスフィルターや赤外カットフィルター等のガラスブロックで構成されている。
【０１１０】
本実施例に係るズームレンズＺＬ３は、広角端状態から望遠端状態への変倍に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増加するように、５つのレンズ群Ｇ１〜Ｇ５が全て移動する。具体的には、第１レンズ群Ｇ１は、変倍に際し、物体側へ移動する。第２レンズ群Ｇ２は、変倍に際し、像側へ移動する。第３レンズ群Ｇ３は、変倍に際し、物体側へ移動する。第４レンズ群Ｇ４は、変倍に際し、物体側へ移動する。第５レンズ群Ｇ５は、変倍に際し、一旦物体側に移動し、その後像側へ移動する。また、明るさを決定する開口絞りＳは、変倍に際し、第３レンズ群Ｇ３と一体となって物体側へ移動する。
【０１１１】
下記の表３に、第３実施例における各諸元の値を示す。表３における面番号１〜３１が、図７に示すｍ１〜ｍ３１の各光学面に対応している。
【０１１２】
（表３）
［レンズ諸元］
面番号    Ｒ           Ｄ        ｎｄ        νｄ
物面      ∞
1   139.34821      1.800      1.90265      35.73
2    63.57618      5.150      1.43700      95.00
3 -1217.83140      0.200
4    71.38178      4.000      1.49782      82.57
5   501.31253      0.200
6    55.33846      4.200      1.49782      82.57
7   265.07562      D7(可変)
8   805.78659      1.000      1.83481      42.73
9     8.21382      4.300
10  -31.85233      0.900      1.83481      42.73
11   13.20512      2.000      1.94595      17.98
12   26.00000      0.300
13   16.77011      2.100      1.84666      23.80
14   65.96837      D14(可変) 
15      ∞         0.700      (絞りＳ)
＊16    9.26773      2.500      1.55332      71.67
＊17  212.41603      0.200
18   12.40315      2.300      1.49782      82.57
19 -239.66131      0.800      1.78590      44.17
20    8.26940      1.000
21   22.00000      1.700      1.48749      70.31
22  -18.28270      D22(可変)
23   55.00000      0.900      1.53110      55.91
24   20.37640      D24(可変)
25   15.47153      2.400      1.56384      60.71
26  -32.54635      0.800      1.91082      35.25
27 -325.82054      D27(可変)
28      ∞         0.210      1.51680      63.88
29      ∞         1.218
30      ∞         0.500      1.51680      63.88
31      ∞         Bf
像面      ∞
［非球面データ］
第16面
κ=-0.2705,A4=-5.11530E-05,A6=-5.46810E-08,A8= 0.00000E+00,A10=0.00000E+00
第17面
κ= 0.0000,A4= 3.24300E-05,A6=-1.04760E-07,A8= 0.00000E+00,A10=0.00000E+00
［全体諸元］
ズーム比  56.8129
広角端       中間１      中間２      望遠端
ｆ         4.40041    33.16652    91.05962    249.99999
ＦＮｏ     3.32630     5.06240      5.37100      6.57230
ω        44.12741    6.95537      2.56053      0.91208
Ｙ         7.00000     8.10000      8.10000      8.10000
ＴＬ      97.19810   125.83264    139.44212    143.90973
Ｂｆ       0.53001     0.53002      0.53001      0.53005
［ズーミングデータ］
広角端       中間１      中間２      望遠端
D7         0.70989    39.80989     54.96928    61.69493
D14       38.74718    10.40834      5.16541     0.49618
D22        1.65511    9.15376     10.39356     6.82206
D24        6.71067    6.86309      7.21133    29.44712
D27        7.46724    17.68954     19.79453     3.54139
［ズームレンズ群データ］
群番号    群初面    群焦点距離   レンズ構成長
Ｇ１       1       79.52588       15.550
Ｇ２       8       -8.14680       10.600
Ｇ３      16       17.86445        8.500
Ｇ４      23      -61.50000        0.900
Ｇ５      25       34.49808        3.200
［条件式］
条件式（１）  （−ｆ２）／ｆｔ  ＝  ０．０３３
条件式（２）  νｄ１ａ  ＝  ３５．７３
条件式（３）  νｄ１ｂ＋νｄ１ｃ＋νｄ１ｄ  ＝  ２６０．１４
条件式（４）  ｆ３／ｆｔ  ＝  ０．０７１
条件式（５）  Ｄｍ３／（ｆｗ×ｆｔ）1/2  ＝  −０．７２３
条件式（６）  Ｄｍ１／ｆｔ  ＝  −０．１８７
条件式（７）  Ｄ５／ｆｔ  ＝  ０．０１３
【０１１３】
表３から、本実施例に係るズームレンズＺＬ３は、条件式（１）〜（７）を満たすことが分かる。
【０１１４】
図８、図９は、第３実施例に係るズームレンズＺＬ３の諸収差図（球面収差図、非点収差図、歪曲収差図、コマ収差図及び倍率色収差図）である。具体的には、図８（ａ）は広角端状態（f=4.4mm）における撮影距離無限遠での諸収差図、図８（ｂ）は中間焦点距離
状態１（f=33.2mm）における撮影距離無限遠での諸収差図、図９（ａ）は中間焦点距離状態２（f=91.1mm）における撮影距離無限遠での諸収差図、図９（ｂ）は望遠端状態（f=250.0mm）における撮影距離無限遠での諸収差図である。
【０１１５】
図８、図９に示す各収差図から明らかなように、第３実施例に係るズームレンズＺＬ３は、広角端状態から望遠端状態までの各焦点距離状態において、諸収差が良好に補正され、優れた光学性能を有することが分かる。
【０１１６】
（第４実施例）
第４実施例について、図１０〜図１２及び表４を用いて説明する。第４実施例に係るズームレンズＺＬ（ＺＬ４）は、図１０に示すように、光軸に沿って物体側から順に並んだ、正の屈折力を有する第１レンズ群Ｇ１と、負の屈折力を有する第２レンズ群Ｇ２と、光量を調節することを目的とした開口絞りＳと、正の屈折力を有する第３レンズ群Ｇ３と、
負の屈折力を有する第４レンズ群Ｇ４と、正の屈折力を有する第５レンズ群Ｇ５とから構成される。
【０１１７】
第１レンズ群Ｇ１は、光軸に沿って物体側から順に並んだ、物体側に凸面を向けた負メニスカスレンズＬ１１と両凸形状の正レンズＬ１２との接合レンズと、物体側に凸面を向けた正メニスカスレンズＬ１３と、物体側に凸面を向けた正メニスカスレンズＬ１４とから構成される。
【０１１８】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と両凹形状の負レンズＬ２４との接合レンズとから構成される。
【０１１９】
第３レンズ群Ｇ３は、光軸に沿って物体側から順に並んだ、両凸形状の正レンズＬ３１と、両凸形状の正レンズＬ３２と両凹形状の負レンズＬ３３との接合レンズと、両凹形状の負レンズＬ３４と両凸形状の正レンズＬ３５との接合レンズとから構成される。正レンズＬ３１は、物体側の面、像側の面がともに非球面である。
【０１２０】
第４レンズ群Ｇ４は、物体側に凸面を向けた負メニスカスレンズＬ４１から構成される。
【０１２１】
第５レンズ群Ｇ５は、光軸に沿って物体側から順に並んだ、両凸形状の正レンズＬ５１と物体側に凹面を向けた負メニスカスレンズＬ５２との接合レンズから構成される。
【０１２２】
第５レンズ群Ｇ５と像面Ｉとの間に、フィルタ群ＦＬが配置されている。フィルタ群ＦＬは、像面Ｉに配設されるＣＣＤ等の、固体撮像素子の限界解像以上の空間周波数をカットするためのローパスフィルターや赤外カットフィルター等のガラスブロックで構成されている。
【０１２３】
本実施例に係るズームレンズＺＬ４は、広角端状態から望遠端状態への変倍に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が増加し、第４レンズ群Ｇ４と第５レンズ群Ｇ５との間隔が変化するように、５つのレンズ群Ｇ１〜Ｇ５が全て移動する。具体的には、第１レンズ群Ｇ１は、変倍に際し、物体側へ移動する。第２レンズ群Ｇ２は、変倍に際し、像側へ移動する。第３レンズ群Ｇ３は、変倍に際し、物体側へ移動する。第４レンズ群Ｇ４は、変倍に際し、物体側へ移動する。第５レンズ群Ｇ５は、変倍に際し、一旦物体側に移動し、その後像側へ移動する。また、明るさを決定する開口絞りＳは、変倍に際し、第３レンズ群Ｇ３と一体となって物体側へ移動する。
【０１２４】
下記の表４に、第４実施例における各諸元の値を示す。表４における面番号１〜３２が、図１０に示すｍ１〜ｍ３２の各光学面に対応している。
【０１２５】
（表４）
［レンズ諸元］
面番号     Ｒ           Ｄ        ｎｄ        νｄ
物面       ∞
1    185.03464      1.800      1.90265      35.73
2     72.83098      5.300      1.43700      95.00
3   -341.55078      0.200
4     69.64237      4.200      1.49782      82.57
5    758.70667      0.200
6     54.60929      3.900      1.49782      82.57
7    174.27947      D7(可変)
8    370.63027      1.000      1.91082      35.25
9      8.11888      4.400
10   -23.39934      0.900      1.75500      52.34
11    44.70536      0.200
12    17.85910      3.000      1.92286      20.88
13   -22.74410      0.800      1.95000      29.37
14    90.15596      D14(可変)
15       ∞         0.750      (絞りＳ)
＊16    10.32195      2.100      1.59201      67.05
＊17   -64.60494      0.200
18    11.50000      2.000      1.59319      67.90
19  -153.26338      0.700      1.78800      47.35
20    11.26117      1.100
21  -431.54424      0.700      1.75500      52.34
22     6.71989      2.300      1.49782      82.57
23   -14.44677      D23(可変)
24    77.41973      0.900      1.53110      55.91
25    23.56266      D25(可変)
26    15.45429      2.300      1.51680      63.88
27   -46.93541      0.800      1.80518      25.45
28  -4728.58458    D28(可変)
29       ∞         0.210      1.51680      63.88
30       ∞         1.218
31       ∞         0.500      1.51680      63.88
32       ∞         Bf
像面       ∞
［非球面データ］
第16面
κ= 0.0785,A4=-3.90240E-05,A6= 0.00000E+00,A8= 0.00000E+00,A10=0.00000E+00
第17面
κ= 0.0000,A4= 8.96520E-05,A6= 0.00000E+00,A8= 0.00000E+00,A10=0.00000E+00
［全体諸元］
ズーム比  56.8181
広角端       中間１      中間２      望遠端
ｆ         4.40000    33.16625     91.05806    249.99981
ＦＮｏ     3.25932     4.90468      5.30766      6.70733
ω        44.16370     6.93487      2.55103      0.91353
Ｙ         7.00000     8.10000      8.10000      8.10000
ＴＬ      98.47996   126.25037    139.45425    144.93598
Ｂｆ       0.52999     0.52999      0.52998      0.53004
［ズーミングデータ］
広角端       中間１      中間２      望遠端
D7         0.81642    40.95798     55.49452    61.85333
D14       40.55551    11.78804      6.37918     1.53153
D23        0.69681     5.62251      8.07434     9.07062
D25        6.74671     6.40372      6.29415    26.76577
D28        7.45652    19.27013    21.00408     3.50669
［ズームレンズ群データ］
群番号    群初面    群焦点距離   レンズ構成長
Ｇ１       1       79.65416       15.600
Ｇ２       8       -8.18384       10.300
Ｇ３      17       17.98393        9.100
Ｇ４      25      -64.14778        0.900
Ｇ５      27       36.01335        3.100
［条件式］
条件式（１）  （−ｆ２）／ｆｔ  ＝  ０．０３３
条件式（２）  νｄ１ａ  ＝  ３５．７３
条件式（３）  νｄ１ｂ＋νｄ１ｃ＋νｄ１ｄ  ＝  ２６０．１４
条件式（４）  ｆ３／ｆｔ  ＝  ０．０７２
条件式（５）  Ｄｍ３／（ｆｗ×ｆｔ）1/2  ＝  −０．７３７
条件式（６）  Ｄｍ１／ｆｔ  ＝  −０．１９５
条件式（７）  Ｄ５／ｆｔ  ＝  ０．０１２
【０１２６】
表４から、本実施例に係るズームレンズＺＬ４は、条件式（１）〜（７）を満たすことが分かる。
【０１２７】
図１１、図１２は、第４実施例に係るズームレンズＺＬ４の諸収差図（球面収差図、非点収差図、歪曲収差図、コマ収差図及び倍率色収差図）である。具体的には、図１１（ａ）は広角端状態（f=4.4mm）における撮影距離無限遠での諸収差図、図１１（ｂ）は中間
焦点距離状態１（f=33.2mm）における撮影距離無限遠での諸収差図、図１２（ａ）は中間焦点距離状態２（f=91.1mm）における撮影距離無限遠での諸収差図、図１２（ｂ）は望遠端状態（f=250.0mm）における撮影距離無限遠での諸収差図である。
【０１２８】
図１１、図１２に示す各収差図から明らかなように、第４実施例に係るズームレンズＺＬ４は、広角端状態から望遠端状態までの各焦点距離状態において、諸収差が良好に補正され、優れた光学性能を有することが分かる。
【０１２９】
（第５実施例）
第５実施例について、図１３〜図１５及び表５を用いて説明する。第５実施例に係るズームレンズＺＬ（ＺＬ５）は、図１３に示すように、光軸に沿って物体側から順に並んだ、正の屈折力を有する第１レンズ群Ｇ１と、負の屈折力を有する第２レンズ群Ｇ２と、光量を調節することを目的とした開口絞りＳと、正の屈折力を有する第３レンズ群Ｇ３と、負の屈折力を有する第４レンズ群Ｇ４と、正の屈折力を有する第５レンズ群Ｇ５とから構成される。
【０１３０】
第１レンズ群Ｇ１は、光軸に沿って物体側から順に並んだ、物体側に凸面を向けた負メニスカスレンズＬ１１と両凸形状の正レンズＬ１２との接合レンズと、物体側に凸面を向けた正メニスカスレンズＬ１３と、物体側に凸面を向けた正メニスカスレンズＬ１４とから構成される。
【０１３１】
第２レンズ群Ｇ２は、光軸に沿って物体側から順に並んだ、物体側に凸面を向けた負メニスカスレンズＬ２１と、両凹形状の負レンズＬ２２と、両凸形状の正レンズＬ２３と両凹形状の負レンズＬ２４との接合レンズとから構成される。
【０１３２】
第３レンズ群Ｇ３は、光軸に沿って物体側から順に並んだ、両凸形状の正レンズＬ３１と、両凸形状の正レンズＬ３２と両凹形状の負レンズＬ３３との接合レンズと、両凸形状の正レンズＬ３４とから構成される。正レンズＬ３１は、物体側の面、像側の面がともに非球面である。
【０１３３】
第４レンズ群Ｇ４は、物体側に凸面を向けた負メニスカスレンズＬ４１から構成される。
【０１３４】
第５レンズ群Ｇ５は、光軸に沿って物体側から順に並んだ、両凸形状の正レンズＬ５１と物体側に凹面を向けた負メニスカスレンズＬ５２との接合レンズから構成される。
【０１３５】
第５レンズ群Ｇ５と像面Ｉとの間に、フィルタ群ＦＬが配置されている。フィルタ群ＦＬは、像面Ｉに配設されるＣＣＤ等の、固体撮像素子の限界解像以上の空間周波数をカットするためのローパスフィルターや赤外カットフィルター等のガラスブロックで構成されている。
【０１３６】
本実施例に係るズームレンズＺＬ５は、広角端状態から望遠端状態への変倍に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増加するように、５つのレンズ群Ｇ１〜Ｇ５が全て移動する。具体的には、第１レンズ群Ｇ１は、変倍に際し、物体側へ移動する。第２レンズ群Ｇ２は、変倍に際し、像側へ移動する。第３レンズ群Ｇ３は、変倍に際し、物体側へ移動する。第４レンズ群Ｇ４は、変倍に際し、物体側へ移動する。第５レンズ群Ｇ５は、変倍に際し、一旦物体側に移動し、その後像側へ移動する。また、明るさを決定する開口絞りＳは、変倍に際し、第３レンズ群Ｇ３と一体となって物体側へ移動する。
【０１３７】
下記の表５に、第５実施例における各諸元の値を示す。表５における面番号１〜３１が、図１３に示すｍ１〜ｍ３１の各光学面に対応している。
【０１３８】
（表５）
［レンズ諸元］
面番号     Ｒ           Ｄ        ｎｄ        νｄ
物面       ∞
1    167.72217      1.800      1.91082      35.25
2     55.09912      5.600      1.49782      82.57
3   -965.01965      0.200
4     59.56122      4.100      1.49782      82.57
5    378.00626      0.200
6     59.75480      3.800      1.49782      82.57
7    316.10396      D7(可変)
8    246.62572      1.000      1.83481      42.73
9      7.52387      4.100
10   -22.79857      0.900      1.80400      46.60
11    52.48325      0.200
12    16.52991      3.000      1.92286      20.88
13   -44.82137      0.800      1.90366      31.31
14    50.86329      D14(可変)
15       ∞         0.750      (絞りＳ)
＊16     8.47611      2.400      1.59201      67.05
＊17  -129.86955      0.200
18    13.39687      2.000      1.59319      67.90
19   -76.62517      0.800      1.80440      39.61
20     7.21441      0.700
21    31.11171      1.500      1.48749      70.31
22   -25.22902      D22(可変)
23    75.00000      0.800      1.49782      82.57
24    25.05662      D24(可変)
25    14.77018      2.300      1.48749      70.31
26   -25.14848      0.800      1.91082      35.25
27   -72.04381      D27(可変)
28       ∞         0.210      1.51680      63.88
29       ∞         1.218
30       ∞         0.500      1.51680      63.88
31       ∞         Bf
像面       ∞
［非球面データ］
第16面
κ=-0.4295,A4=-3.92499E-05,A6= 0.00000E+00,A8= 0.00000E+00,A10=0.00000E+00
第17面
κ= 0.0000,A4= 3.20704E-05,A6= 0.00000E+00,A8= 0.00000E+00,A10=0.00000E+00
［全体諸元］
ズーム比  56.8188
広角端       中間１      中間２      望遠端
ｆ         4.39995    33.05440     90.64293    250.00000
ＦＮｏ     3.31882     5.19437      5.42079      6.63539
ω        44.16857     6.99514      2.57455      0.91209
Ｙ         7.00000     8.10000      8.10000      8.10000
ＴＬ      94.05674   125.64910    138.62581    142.88913
Ｂｆ       0.53002     0.54579      0.54091      0.52999
［ズーミングデータ］
広角端       中間１      中間２      望遠端
D7         0.75908    40.52500     55.93337     62.40021
D14       37.94327    11.59355      6.61355      1.79999
D22        1.36757     8.14868      8.61750      6.95942
D24        5.87466     6.48834      6.61030    27.65176
D27        7.70414    18.46976     20.43217      3.66976
［ズームレンズ群データ］
群番号    群初面    群焦点距離   レンズ構成長
Ｇ１       1       79.45860       15.700
Ｇ２       8       -8.01312       10.000
Ｇ３      16       17.72055        7.600
Ｇ４      23      -75.98918        0.800
Ｇ５      25       34.55652        3.100
［条件式］
条件式（１）  （−ｆ２）／ｆｔ  ＝  ０．０３２
条件式（２）  νｄ１ａ  ＝  ４０．８０
条件式（３）  νｄ１ｂ＋νｄ１ｃ＋νｄ１ｄ  ＝  ２４７．７１
条件式（４）  ｆ３／ｆｔ  ＝  ０．０７１
条件式（５）  Ｄｍ３／（ｆｗ×ｆｔ）1/2  ＝  −０．７０４
条件式（６）  Ｄｍ１／ｆｔ  ＝  −０．１９５
条件式（７）  Ｄ５／ｆｔ  ＝  ０．０１２
【０１３９】
表５から、本実施例に係るズームレンズＺＬ５は、条件式（１）〜（７）を満たすことが分かる。
【０１４０】
図１４、図１５は、第５実施例に係るズームレンズＺＬ５の諸収差図（球面収差図、非点収差図、歪曲収差図、コマ収差図及び倍率色収差図）である。具体的には、図１４（ａ）は広角端状態（f=4.4mm）における撮影距離無限遠での諸収差図、図１４（ｂ）は中間
焦点距離状態１（f=33.1mm）における撮影距離無限遠での諸収差図、図１５（ａ）は中間焦点距離状態２（f=90.6mm）における撮影距離無限遠での諸収差図、図１５（ｂ）は望遠端状態（f=250.0mm）における撮影距離無限遠での諸収差図である。
【０１４１】
図１４、図１５に示す各収差図から明らかなように、第５実施例に係るズームレンズＺＬ５は、広角端状態から望遠端状態までの各焦点距離状態において、諸収差が良好に補正され、優れた光学性能を有することが分かる。
【０１４２】
（第６実施例）
第６実施例について、図１６〜図１８及び表６を用いて説明する。第６実施例に係るズームレンズＺＬ（ＺＬ６）は、図１６に示すように、光軸に沿って物体側から順に並んだ、正の屈折力を有する第１レンズ群Ｇ１と、負の屈折力を有する第２レンズ群Ｇ２と、光量を調節することを目的とした開口絞りＳと、正の屈折力を有する第３レンズ群Ｇ３と、負の屈折力を有する第４レンズ群Ｇ４と、正の屈折力を有する第５レンズ群Ｇ５とから構成される。
【０１４３】
第１レンズ群Ｇ１は、光軸に沿って物体側から順に並んだ、物体側に凸面を向けた負メニスカスレンズＬ１１と両凸形状の正レンズＬ１２との接合レンズと、物体側に凸面を向けた正メニスカスレンズＬ１３と、物体側に凸面を向けた正メニスカスレンズＬ１４とから構成される。
【０１４４】
第２レンズ群Ｇ２は、光軸に沿って物体側から順に並んだ、物体側に凸面を向けた負メニスカスレンズＬ２１と、両凹形状の負レンズＬ２２と物体側に凸面を向けた正メニスカスレンズＬ２３との接合レンズと、物体側に凸面を向けた正メニスカスレンズＬ２４とから構成される。
【０１４５】
第３レンズ群Ｇ３は、光軸に沿って物体側から順に並んだ、両凸形状の正レンズＬ３１と、両凸形状の正レンズＬ３２と両凹形状の負レンズＬ３３との接合レンズと、両凸形状の正レンズＬ３４とから構成される。正レンズＬ３１は、物体側の面、像側の面がともに非球面である。
【０１４６】
第４レンズ群Ｇ４は、物体側に凸面を向けた負メニスカスレンズＬ４１から構成される。
【０１４７】
第５レンズ群Ｇ５は、光軸に沿って物体側から順に並んだ、両凸形状の正レンズＬ５１と物体側に凹面を向けた負メニスカスレンズＬ５２との接合レンズから構成される。
【０１４８】
第５レンズ群Ｇ５と像面Ｉとの間に、フィルタ群ＦＬが配置されている。フィルタ群ＦＬは、像面Ｉに配設されるＣＣＤ等の、固体撮像素子の限界解像以上の空間周波数をカットするためのローパスフィルターや赤外カットフィルター等のガラスブロックで構成されている。
【０１４９】
本実施例に係るズームレンズＺＬ６は、広角端状態から望遠端状態への変倍に際し、第１レンズ群Ｇ１と第２レンズ群Ｇ２との間隔が増加し、第２レンズ群Ｇ２と第３レンズ群Ｇ３との間隔が減少し、第３レンズ群Ｇ３と第４レンズ群Ｇ４との間隔が変化し、第４レンズ群Ｇ４と第５レンズ群Ｇ５との間隔が増加するように、５つのレンズ群Ｇ１〜Ｇ５が全て移動する。具体的には、第１レンズ群Ｇ１は、変倍に際し、物体側へ移動する。第２レンズ群Ｇ２は、変倍に際し、像側へ移動する。第３レンズ群Ｇ３は、変倍に際し、物体側へ移動する。第４レンズ群Ｇ４は、変倍に際し、物体側へ移動する。第５レンズ群Ｇ５は、変倍に際し、一旦物体側に移動し、その後像側へ移動する。また、明るさを決定する開口絞りＳは、変倍に際し、第３レンズ群Ｇ３と一体となって物体側へ移動する。
【０１５０】
下記の表６に、第６実施例における各諸元の値を示す。表６における面番号１〜３１が、図１６に示すｍ１〜ｍ３１の各光学面に対応している。
【０１５１】
（表６）
［レンズ諸元］
面番号     Ｒ           Ｄ        ｎｄ        νｄ
物面       ∞
1    833.13681      1.800      1.80610      40.97
2     66.30909      5.800      1.49782      82.57
3   -208.53753      0.200
4     71.38178      4.200      1.49782      82.57
5   1230.18913      0.200
6     52.31232      4.000      1.49782      82.57
7    212.73003      D7(可変)
8    238.52066      1.000      1.83481      42.73
9      8.02925      4.300
10   -33.51859      0.900      1.83481      42.73
11    14.81204      2.100      1.94595      17.98
12    47.49952      0.200
13    15.49846      1.800      1.84666      23.80
14    26.98580      D14(可変)
15       ∞         0.750      (絞りＳ)
＊16     8.52824      2.600      1.55332      71.67
＊17   -40.00994      0.200
18    10.64740      2.200      1.49782      82.57
19   -47.66378      0.800      1.83481      42.73
20     7.00961      0.800
21    17.50000      1.700      1.48749      70.31
22   -37.01486      D22(可変)
23   160.00000      0.900      1.49782      82.57
24    18.67754      D24(可変)
25    15.32767      2.400      1.56384      60.71
26   -29.23072      0.800      1.91082      35.25
27  -129.89969      D27(可変)
28       ∞         0.210      1.51680      63.88
29       ∞         1.218
30       ∞         0.500      1.51680      63.88
31       ∞         Bf
像面       ∞
［非球面データ］
第16面
κ=-0.4504,A4=-4.14853E-05,A6= 0.00000E+00,A8= 0.00000E+00,A10=0.00000E+00
第17面
κ= 0.0000,A4= 3.05542E-05,A6= 0.00000E+00,A8= 0.00000E+00,A10=0.00000E+00
［全体諸元］
ズーム比  56.8230
広角端       中間１      中間２      望遠端
ｆ         4.39963    33.16622     91.05806    250.00014
ＦＮｏ     3.27185     5.18345      5.61129      6.83029
ω       44.13000      6.96951      2.56346      0.91241
Ｙ        7.00000      8.10000      8.10000      8.10000
ＴＬ     97.49160    124.62396    138.72911    144.07508
Ｂｆ      0.53118      0.53118      0.53118      0.53000
［ズーミングデータ］
広角端       中間１      中間２      望遠端
D7         0.80020    39.67426     55.12296     62.14415
D14       40.49583    11.90394      6.65793      1.89993
D22        0.92860     8.25026     10.40870      6.45483
D24        6.49720     6.58912      6.65361     27.93365
D27        6.66059    16.09721     17.77673      3.53452
［ズームレンズ群データ］
群番号    群初面    群焦点距離   レンズ構成長
Ｇ１       1       79.06270       16.200
Ｇ２       8       -8.29885       10.300
Ｇ３      16       16.59524        8.300
Ｇ４      23      -42.56733        0.900
Ｇ５      25       31.12717        3.200
［条件式］
条件式（１）  （−ｆ２）／ｆｔ  ＝  ０．０３３
条件式（２）  νｄ１ａ  ＝  ４０．９７
条件式（３）  νｄ１ｂ＋νｄ１ｃ＋νｄ１ｄ  ＝  ２４７．７１
条件式（４）  ｆ３／ｆｔ  ＝  ０．０６６
条件式（５）  Ｄｍ３／（ｆｗ×ｆｔ）1/2  ＝  −０．７１９
条件式（６）  Ｄｍ１／ｆｔ  ＝  −０．１８６
条件式（７）  Ｄ５／ｆｔ  ＝  ０．０１３
【０１５２】
表６から、本実施例に係るズームレンズＺＬ６は、条件式（１）〜（７）を満たすことが分かる。
【０１５３】
図１７、図１８は、第６実施例に係るズームレンズＺＬ６の諸収差図（球面収差図、非点収差図、歪曲収差図、コマ収差図及び倍率色収差図）である。具体的には、図１７（ａ）は広角端状態（f=4.4mm）における撮影距離無限遠での諸収差図、図１７（ｂ）は中間
焦点距離状態１（f=33.2mm）における撮影距離無限遠での諸収差図、図１８（ａ）は中間焦点距離状態２（f=91.1mm）における撮影距離無限遠での諸収差図、図１８（ｂ）は望遠端状態（f=250.0mm）における撮影距離無限遠での諸収差図である。
【０１５４】
図１７、図１８に示す各収差図から明らかなように、第６実施例に係るズームレンズＺＬ６は、広角端状態から望遠端状態までの各焦点距離状態において、諸収差が良好に補正され、優れた光学性能を有することが分かる。
【０１５５】
以上のような各実施例によれば、高変倍でありながら、良好な光学性能を有するズームレンズを提供することができる。
【０１５６】
ここまで本発明を分かりやすくするために、実施形態の構成要件を付して説明したが、本発明がこれに限定されるものではないことは言うまでもない。
【０１５７】
例えば、上記実施例では、５群構成を示したが、６群、７群等、他の群構成にも適用可能である。具体的には、最も物体側にレンズまたはレンズ群を追加した構成や、最も像側にレンズまたはレンズ群を追加した構成でも構わない。なお、レンズ群とは、変倍時に変化する空気間隔で分離された、少なくとも１枚のレンズを有する部分を示す。
【０１５８】
本実施形態に係るズームレンズＺＬにおいて、単独または複数のレンズ群、または部分レンズ群を光軸方向に移動させて、無限遠物体から近距離物体への合焦を行う合焦レンズ群としてもよい。この合焦レンズ群は、オートフォーカスにも適用することができ、オートフォーカス用の（超音波モーター等を用いた）モーター駆動にも適している。特に、第５レンズ群Ｇ５を合焦レンズ群とするのが好ましい。
【０１５９】
本実施形態に係るズームレンズＺＬにおいて、レンズ群または部分レンズ群を光軸に垂直な方向の成分を持つように移動させるか、或いは光軸を含む面内方向に回転移動（揺動）させて、手ブレによって生じる像ブレを補正する防振レンズ群としてもよい。特に、第３レンズ群Ｇ３を防振レンズ群とするのが好ましい。
【０１６０】
本実施形態に係るズームレンズＺＬにおいて、レンズ面は、球面または平面で形成されても、非球面で形成されても構わない。レンズ面が球面または平面の場合、レンズ加工および組立調整が容易になり、加工および組立調整の誤差による光学性能の劣化を防げるので好ましい。また、像面がずれた場合でも描写性能の劣化が少ないので好ましい。レンズ面が非球面の場合、非球面は、研削加工による非球面、ガラスを型で非球面形状に形成したガラスモールド非球面、ガラスの表面に樹脂を非球面形状に形成した複合型非球面のいずれの非球面でも構わない。また、レンズ面は回折面としてもよく、レンズを屈折率分布型レンズ（ＧＲＩＮレンズ）あるいはプラスチックレンズとしてもよい。
【０１６１】
本実施形態に係るズームレンズＺＬにおいて、開口絞りＳは、第３レンズ群Ｇ３の近傍に配置されるのが好ましいが、開口絞りとしての部材を設けずに、レンズの枠でその役割を代用してもよい。
【０１６２】
本実施形態に係るズームレンズＺＬにおいて、各レンズ面には、フレアやゴーストを軽減し高コントラストの高い光学性能を達成するために、広い波長域で高い透過率を有する反射防止膜を施してもよい。
【０１６３】
本実施形態のズームレンズＺＬは、変倍比が５０〜７０程度である。
【０１６４】
本実施形態のズームレンズＺＬは、デジタルスチルカメラに使用しているが、これに限られるものではなく、デジタルビデオカメラ等の光学機器にも使用することができる。
【符号の説明】
【０１６５】
ＺＬ（ＺＬ１〜ＺＬ６）  ズームレンズ
Ｇ１  第１レンズ群
Ｇ２  第２レンズ群
Ｇ３  第３レンズ群
Ｇ４  第４レンズ群
Ｇ５  第５レンズ群
Ｓ    開口絞り
ＦＬ  フィルタ群
Ｉ    像面
ＣＡＭ  デジタルスチルカメラ（光学機器）
【図１】
2018077511.tif 000003
【図２】
2018077511.tif 000004
【図３】
2018077511.tif 000005
【図４】
2018077511.tif 000006
【図５】
2018077511.tif 000007
【図６】
2018077511.tif 000008
【図７】
2018077511.tif 000009
【図８】
2018077511.tif 000010
【図９】
2018077511.tif 000011
【図１０】
2018077511.tif 000012
【図１１】
2018077511.tif 000013
【図１２】
2018077511.tif 000014
【図１３】
2018077511.tif 000015
【図１４】
2018077511.tif 000016
【図１５】
2018077511.tif 000017
【図１６】
2018077511.tif 000018
【図１７】
2018077511.tif 000019
【図１８】
2018077511.tif 000020
【図１９】
2018077511.tif 000021
【図２０】
2018077511.tif 000022
【図２１】
2018077511.tif 000023
【手続補正書】
【提出日】平成30年1月25日(2018.1.25)
【手続補正１】
【補正対象書類名】特許請求の範囲
【補正対象項目名】全文
【補正方法】変更
【補正の内容】
【特許請求の範囲】
【請求項１】
光軸に沿って物体側より順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、
広角端状態から望遠端状態への変倍に際し、前記第１レンズ群と前記第２レンズ群との間隔が増加し、前記第２レンズ群と前記第３レンズ群との間隔が減少し、前記第３レンズ群と前記第４レンズ群との間隔が変化し、前記第４レンズ群と前記第５レンズ群との間隔が変化するように、前記第１レンズ群、前記第２レンズ群、前記第３レンズ群、前記第４レンズ群、前記第５レンズ群はそれぞれ光軸に沿って移動し、前記第５レンズ群は一旦物体側に移動した後に像側へ移動し、
前記第１レンズ群は、光軸に沿って物体側より順に並んだ、負レンズと、第１の正レンズと、第２の正レンズと、第３の正レンズとからなり、
前記第４レンズ群は、物体側に凸面を向けた負メニスカスレンズからなり、
以下の条件式を満足することを特徴とするズームレンズ。
０．０１０  ＜  （−ｆ２）／ｆｔ  ＜  ０．０３８
但し、
ｆ２：前記第２レンズ群の焦点距離、
ｆｔ：前記ズームレンズの望遠端状態における焦点距離。
【請求項２】
以下の条件式を満足することを特徴とする請求項１に記載のズームレンズ。
３０．０  ＜  νｄ１ａ  ＜  ５０．０
２４４．８  ＜  νｄ１ｂ＋νｄ１ｃ＋νｄ１ｄ  ＜  ２８５．０
但し、
νｄ１ａ：前記負レンズを構成する硝材のｄ線を基準とするアッベ数、
νｄ１ｂ：前記第１の正レンズを構成する硝材のｄ線を基準とするアッベ数、
νｄ１ｃ：前記第２の正レンズを構成する硝材のｄ線を基準とするアッベ数、
νｄ１ｄ：前記第３の正レンズを構成する硝材のｄ線を基準とするアッベ数。
【請求項３】
以下の条件式を満足することを特徴とする請求項１又は２に記載のズームレンズ。
０．０５０  ＜  ｆ３／ｆｔ  ＜  ０．０７５
但し、
ｆ３：前記第３レンズ群の焦点距離。
【請求項４】
以下の条件式を満足することを特徴とする請求項１〜３のいずれか一項に記載のズームレンズ。
０．７００  ＜  Ｄｍ３／（ｆｗ×ｆｔ）1/2  ＜  ０．７９５
但し、
Ｄｍ３：広角端状態から望遠端状態に変倍する際の前記第３レンズ群の光軸上の移動量、
ｆｗ：前記ズームレンズの望遠端状態における焦点距離。
【請求項５】
以下の条件式を満足することを特徴とする請求項１〜４のいずれか一項に記載のズームレンズ。
０．１８０  ＜  Ｄｍ１／ｆｔ  ＜  ０．２００
但し、
Ｄｍ１：広角端状態から望遠端状態に変倍する際の前記第１レンズ群の光軸上の移動量。
【請求項６】
以下の条件式を満足することを特徴とする請求項１〜５のいずれか一項に記載のズームレンズ。
０．００５  ＜  Ｄ５／ｆｔ  ＜  ０．０３０
但し、
Ｄ５：前記第５レンズ群の光軸上の厚さ。
【請求項７】
前記第３レンズ群は、少なくとも１枚の非球面レンズを有することを特徴とする請求項１〜６のいずれか一項に記載のズームレンズ。
【請求項８】
請求項１〜７のいずれか一項に記載のズームレンズを搭載することを特徴とする光学機器。
【請求項９】
光軸に沿って物体側より順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなるズームレンズの製造方法であって、
広角端状態から望遠端状態への変倍に際し、前記第１レンズ群と前記第２レンズ群との間隔が増加し、前記第２レンズ群と前記第３レンズ群との間隔が減少し、前記第３レンズ群と前記第４レンズ群との間隔が変化し、前記第４レンズ群と前記第５レンズ群との間隔が変化するように、前記第１レンズ群、前記第２レンズ群、前記第３レンズ群、前記第４レンズ群、前記第５レンズ群はそれぞれ光軸に沿って移動し、前記第５レンズ群は一旦物体側に移動した後に像側へ移動し、
前記第１レンズ群は、光軸に沿って物体側より順に並んだ、負レンズと、第１の正レンズと、第２の正レンズと、第３の正レンズとからなり、
前記第４レンズ群は、物体側に凸面を向けた負メニスカスレンズからなり、
以下の条件式を満足するように、
レンズ鏡筒内に各レンズを配置することを特徴とするズームレンズの製造方法。
０．０１０  ＜  （−ｆ２）／ｆｔ  ＜  ０．０３８
但し、
ｆ２：前記第２レンズ群の焦点距離、
ｆｔ：前記ズームレンズの望遠端状態における焦点距離。
【手続補正２】
【補正対象書類名】明細書
【補正対象項目名】０００６
【補正方法】変更
【補正の内容】
【０００６】
このような目的を達成するため、本発明に係るズームレンズは、光軸に沿って物体側より順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、広角端状態から望遠端状態への変倍に際し、前記第１レンズ群と前記第２レンズ群との間隔が増加し、前記第２レンズ群と前記第３レンズ群との間隔が減少し、前記第３レンズ群と前記第４レンズ群との間隔が変化し、前記第４レンズ群と前記第５レンズ群との間隔が変化するように、前記第１レンズ群、前記第２レンズ群、前記第３レンズ群、前記第４レンズ群、前記第５レンズ群はそれぞれ光軸に沿って移動し、前記第５レンズ群は一旦物体側に移動した後に像側へ移動し、前記第１レンズ群は、光軸に沿って物体側より順に並んだ、負レンズと、第１の正レンズと、第２の正レンズと、第３の正レンズとからなり、前記第４レンズ群は、物体側に凸面を向けた負メニスカスレンズからなり、次の条件式を満足する。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００２０
【補正方法】変更
【補正の内容】
【００２０】
本発明に係るズームレンズの製造方法は、光軸に沿って物体側より順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなるズームレンズの製造方法であって、広角端状態から望遠端状態への変倍に際し、前記第１レンズ群と前記第２レンズ群との間隔が増加し、前記第２レンズ群と前記第３レンズ群との間隔が減少し、前記第３レンズ群と前記第４レンズ群との間隔が変化し、前記第４レンズ群と前記第５レンズ群との間隔が変化するように、前記第１レンズ群、前記第２レンズ群、前記第３レンズ群、前記第４レンズ群、前記第５レンズ群はそれぞれ光軸に沿って移動し、前記第５レンズ群は一旦物体側に移動した後に像側へ移動し、前記第１レンズ群は、光軸に沿って物体側より順に並んだ、負レンズと、第１の正レンズと、第２の正レンズと、第３の正レンズとからなり、前記第４レンズ群は、物体側に凸面を向けた負メニスカスレンズからなり、次の条件式を満足するように、レンズ鏡筒内に各レンズを配置する。
【手続補正１５】
【補正対象書類名】明細書
【補正対象項目名】００８４
【補正方法】変更
【補正の内容】
【００８４】
（表１）
［レンズ諸元］
面番号    Ｒ           Ｄ        ｎｄ        νｄ
物面      ∞
1   128.63048      1.800      1.90265      35.73
2    64.40586      5.700      1.43700      95.00
3 -1617.44790      0.200
4    70.78832      4.400      1.49782      82.57
5   511.22339      0.200    
6    51.16451      4.850      1.43700      95.00
7   215.71442      D7(可変)
8   525.00841      1.000      1.83481      42.73
9     7.77606      4.500
10  -24.00000      0.900      1.80400      46.60
11   95.29080      0.200
12   15.75086      3.500      1.92286      20.88
13  -25.78863      0.800      2.00100      29.14
14   33.59867      D14(可変) 
15      ∞         0.750      (絞りＳ)
＊16    9.79260      2.600      1.55332      71.67
＊17  117.30756      0.200
18   13.59417      2.200      1.49782      82.57
19  -65.06701      0.800      1.78590      44.17
20    9.42445      0.900
21   25.00000      1.800      1.48749      70.31
22  -15.28940      D22(可変)
23   80.00000      0.900      1.53110      55.91
24   23.50004      D24(可変)
25   16.76178      2.600      1.60300      65.44
26  -37.64909      0.800      1.90366      31.27
27 1973.86690      D27(可変)
28      ∞         0.210      1.51680      63.88
29      ∞         1.218
30      ∞         0.500      1.51680      63.88
31      ∞         Bf
像面      ∞
［非球面データ］
第16面
κ=-0.0803,A4=-5.58440E-05,A6=0.00000E+00,A8=0.00000E+00,A10=0.00000E+00
第17面
κ= 0.0000,A4= 6.70110E-05,A6=0.00000E+00,A8=0.00000E+00,A10=0.00000E+00
［全体諸元］
ズーム比  61.3632
広角端      中間１      中間２      望遠端
ｆ         4.40003    12.31499     96.46984    270.00031
ＦＮｏ     3.20589     4.18640      5.12872      6.48043
ω        44.12966    18.32373      2.42668      0.84589
２Ｙ       7.00000     8.10000      8.10000      8.10000
ＴＬ      98.05298   107.66203    144.40711    149.23309
Ｂｆ       0.53004     0.53010      0.53006      0.52992
［ズーミングデータ］
広角端      中間１      中間２      望遠端
D7         0.73321    18.22120     55.13321     61.05461
D14       36.49439    18.01833      5.83157      1.49436
D22        1.01849     5.23136      8.91849      7.37959
D24        6.62610     8.74141      8.97415     31.52874
D27        9.12276    13.39164     21.49164      3.71788
［ズームレンズ群データ］
群番号    群初面    群焦点距離   レンズ構成長
Ｇ１       1       79.46202       17.150
Ｇ２       8       -7.52632       10.900
Ｇ３      16       17.89264        8.500
Ｇ４      23      -62.76120        0.900
Ｇ５      25       35.66151        3.400
［条件式］
条件式（１）  （−ｆ２）／ｆｔ  ＝  ０．０２８
条件式（２）  νｄ１ａ  ＝  ３５．７３
条件式（３）  νｄ１ｂ＋νｄ１ｃ＋νｄ１ｄ  ＝  ２７２．５７
条件式（４）  ｆ３／ｆｔ  ＝  ０．０６６
条件式（５）  Ｄｍ３／（ｆｗ×ｆｔ）1/2  ＝  ０．７５０
条件式（６）  Ｄｍ１／ｆｔ  ＝  ０．１９０
条件式（７）  Ｄ５／ｆｔ  ＝  ０．０１３
【手続補正１６】
【補正対象書類名】明細書
【補正対象項目名】００９９
【補正方法】変更
【補正の内容】
【００９９】
（表２）
［レンズ諸元］
面番号    Ｒ           Ｄ        ｎｄ        νｄ
物面      ∞
1   131.49675      1.800      1.91082      35.25
2    63.37948      5.700      1.43700      95.00
3 -1287.44760      0.200   
4    66.21576      4.500      1.49782      82.57
5   359.05726      0.200    
6    55.39804      4.200      1.49782      82.57
7   216.07982      D7(可変)
8   592.06103      1.000      1.83481      42.73
9     7.86967      4.500
10  -32.00000      0.900      1.83481      42.73
11   35.35747      0.200
12   15.57738      3.800      1.84666      23.80
13  -21.18702      0.900      1.88300      40.66
14   56.88565      D14(可変) 
15      ∞         0.750      (絞りＳ)
＊16    9.42723      2.900      1.55332      71.67
＊17  -48.03390      0.200
18    8.89173      2.500      1.49782      82.57
19  -90.43764      0.800      1.88300      40.66
20    7.07893      1.000
21   28.09612      1.600      1.51742      52.20
22  -35.31617      D22(可変)
23  100.00000      0.900      1.53110      55.91
24   32.50000      D24(可変)
25   15.33226      2.400      1.48749      70.31
26  -39.45166      0.800      1.90366      31.27
27 -126.38528      D27(可変)   
28      ∞         0.210      1.51680      63.88
29      ∞         1.218
30      ∞         0.500      1.51680      63.88
31      ∞         Bf
像面      ∞
［非球面データ］
第16面
κ=-0.8584,A4= 3.91510E-05,A6= 1.15410E-06,A8= 0.00000E+00,A10= 0.00000E+00
第17面
κ= 0.0000,A4= 2.59680E-05,A6= 8.94520E-07,A8= 0.00000E+00,A10= 0.00000E+00
［全体諸元］
ズーム比  56.8632
広角端      中間１      中間２      望遠端
ｆ         4.39652    33.65450     91.94556    250.00006
ＦＮｏ     3.27151     5.07394      5.41747      6.03761
ω        44.14909     6.88501      2.54373      0.91513
２Ｙ       7.00000     8.10000      8.10000      8.10000
ＴＬ      98.62677   127.95776    141.35808    144.51943
Ｂｆ       0.53025     0.53459      0.53416      0.52994
［ズーミングデータ］
広角端      中間１      中間２      望遠端
D7         0.96353    40.26128     54.82392     61.08322
D14       39.88666    11.86995      6.76995      1.84995
D22        1.10140     6.43847      8.29510      9.39198
D24        6.10994     6.66110      6.93295     24.38810
D27        6.35699    18.51436     20.32399      3.59824
［ズームレンズ群データ］
群番号    群初面    群焦点距離    レンズ構成長
Ｇ１       1       79.54689        16.600
Ｇ２       8       -8.00715        11.300
Ｇ３      16       18.04970         9.000
Ｇ４      23      -90.73323         0.900
Ｇ５      25       35.04233         3.200
［条件式］
条件式（１）  （−ｆ２）／ｆｔ  ＝  ０．０３２
条件式（２）  νｄ１ａ  ＝  ３５．２５
条件式（３）  νｄ１ｂ＋νｄ１ｃ＋νｄ１ｄ  ＝  ２６０．１４
条件式（４）  ｆ３／ｆｔ  ＝  ０．０７２
条件式（５）  Ｄｍ３／（ｆｗ×ｆｔ）1/2  ＝  ０．７１８
条件式（６）  Ｄｍ１／ｆｔ  ＝  ０．１８４
条件式（７）  Ｄ５／ｆｔ  ＝  ０．０１３
【手続補正１７】
【補正対象書類名】明細書
【補正対象項目名】０１１２
【補正方法】変更
【補正の内容】
【０１１２】
（表３）
［レンズ諸元］
面番号    Ｒ           Ｄ        ｎｄ        νｄ
物面      ∞
1   139.34821      1.800      1.90265      35.73
2    63.57618      5.150      1.43700      95.00
3 -1217.83140      0.200
4    71.38178      4.000      1.49782      82.57
5   501.31253      0.200
6    55.33846      4.200      1.49782      82.57
7   265.07562      D7(可変)
8   805.78659      1.000      1.83481      42.73
9     8.21382      4.300
10  -31.85233      0.900      1.83481      42.73
11   13.20512      2.000      1.94595      17.98
12   26.00000      0.300
13   16.77011      2.100      1.84666      23.80
14   65.96837      D14(可変) 
15      ∞         0.700      (絞りＳ)
＊16    9.26773      2.500      1.55332      71.67
＊17  212.41603      0.200
18   12.40315      2.300      1.49782      82.57
19 -239.66131      0.800      1.78590      44.17
20    8.26940      1.000
21   22.00000      1.700      1.48749      70.31
22  -18.28270      D22(可変)
23   55.00000      0.900      1.53110      55.91
24   20.37640      D24(可変)
25   15.47153      2.400      1.56384      60.71
26  -32.54635      0.800      1.91082      35.25
27 -325.82054      D27(可変)
28      ∞         0.210      1.51680      63.88
29      ∞         1.218
30      ∞         0.500      1.51680      63.88
31      ∞         Bf
像面      ∞
［非球面データ］
第16面
κ=-0.2705,A4=-5.11530E-05,A6=-5.46810E-08,A8= 0.00000E+00,A10=0.00000E+00
第17面
κ= 0.0000,A4= 3.24300E-05,A6=-1.04760E-07,A8= 0.00000E+00,A10=0.00000E+00
［全体諸元］
ズーム比  56.8129
広角端      中間１      中間２      望遠端
ｆ         4.40041    33.16652     91.05962    249.99999
ＦＮｏ     3.32630     5.06240      5.37100      6.57230
ω        44.12741     6.95537      2.56053      0.91208
２Ｙ       7.00000     8.10000      8.10000      8.10000
ＴＬ      97.19810   125.83264    139.44212    143.90973
Ｂｆ       0.53001     0.53002      0.53001      0.53005
［ズーミングデータ］
広角端      中間１      中間２      望遠端
D7         0.70989    39.80989     54.96928     61.69493
D14       38.74718    10.40834      5.16541      0.49618
D22        1.65511     9.15376     10.39356      6.82206
D24        6.71067     6.86309      7.21133     29.44712
D27        7.46724    17.68954     19.79453      3.54139
［ズームレンズ群データ］
群番号    群初面    群焦点距離   レンズ構成長
Ｇ１       1       79.48364       15.550
Ｇ２       8       -8.14271       10.600
Ｇ３      16       17.49650        8.500
Ｇ４      23      -61.26746        0.900
Ｇ５      25       34.44597        3.200
［条件式］
条件式（１）  （−ｆ２）／ｆｔ  ＝  ０．０３３
条件式（２）  νｄ１ａ  ＝  ３５．７３
条件式（３）  νｄ１ｂ＋νｄ１ｃ＋νｄ１ｄ  ＝  ２６０．１４
条件式（４）  ｆ３／ｆｔ  ＝  ０．０７０
条件式（５）  Ｄｍ３／（ｆｗ×ｆｔ）1/2  ＝  ０．７２３
条件式（６）  Ｄｍ１／ｆｔ  ＝  ０．１８７
条件式（７）  Ｄ５／ｆｔ  ＝  ０．０１３
【手続補正１８】
【補正対象書類名】明細書
【補正対象項目名】０１２５
【補正方法】変更
【補正の内容】
【０１２５】
（表４）
［レンズ諸元］
面番号     Ｒ          Ｄ        ｎｄ        νｄ
物面       ∞
1    185.03464      1.800      1.90265      35.73
2     72.83098      5.300      1.43700      95.00
3   -341.55078      0.200
4     69.64237      4.200      1.49782      82.57
5    758.70667      0.200
6     54.60929      3.900      1.49782      82.57
7    174.27947      D7(可変)
8    370.63027      1.000      1.91082      35.25
9      8.11888      4.400
10   -23.39934      0.900      1.75500      52.34
11    44.70536      0.200
12    17.85910      3.000      1.92286      20.88
13   -22.74410      0.800      1.95000      29.37
14    90.15596      D14(可変)
15       ∞         0.750      (絞りＳ)
＊16    10.32195      2.100      1.59201      67.05
＊17   -64.60494      0.200
18    11.50000      2.000      1.59319      67.90
19  -153.26338      0.700      1.78800      47.35
20    11.26117      1.100
21  -431.54424      0.700      1.75500      52.34
22     6.71989      2.300      1.49782      82.57
23   -14.44677      D23(可変)
24    77.41973      0.900      1.53110      55.91
25    23.56266      D25(可変)
26    15.45429      2.300      1.51680      63.88
27   -46.93541      0.800      1.80518      25.45
28  -4728.58458     D28(可変)
29       ∞         0.210      1.51680      63.88
30       ∞         1.218
31       ∞         0.500      1.51680      63.88
32       ∞         Bf
像面       ∞
［非球面データ］
第16面
κ= 0.0785,A4=-3.90240E-05,A6= 0.00000E+00,A8= 0.00000E+00,A10=0.00000E+00
第17面
κ= 0.0000,A4= 8.96520E-05,A6= 0.00000E+00,A8= 0.00000E+00,A10=0.00000E+00
［全体諸元］
ズーム比  56.8181
広角端      中間１      中間２      望遠端
ｆ         4.40000    33.16625     91.05806    249.99981
ＦＮｏ     3.25932     4.90468      5.30766      6.70733
ω        44.16370     6.93487      2.55103      0.91353
２Ｙ       7.00000     8.10000      8.10000      8.10000
ＴＬ      98.47996   126.25037    139.45425    144.93598
Ｂｆ       0.52999     0.52999      0.52998      0.53004
［ズーミングデータ］
広角端      中間１      中間２      望遠端
D7         0.81642    40.95798     55.49452     61.85333
D14       40.55551    11.78804      6.37918      1.53153
D23        0.69681     5.62251      8.07434      9.07062
D25        6.74671     6.40372      6.29415     26.76577
D28        7.45652    19.27013     21.00408      3.50669
［ズームレンズ群データ］
群番号    群初面    群焦点距離   レンズ構成長
Ｇ１       1       79.60789       15.600
Ｇ２       8       -8.17910       10.300
Ｇ３      17       17.97355        9.100
Ｇ４      25      -63.90470        0.900
Ｇ５      27       35.99528        3.100
［条件式］
条件式（１）  （−ｆ２）／ｆｔ  ＝  ０．０３３
条件式（２）  νｄ１ａ  ＝  ３５．７３
条件式（３）  νｄ１ｂ＋νｄ１ｃ＋νｄ１ｄ  ＝  ２６０．１４
条件式（４）  ｆ３／ｆｔ  ＝  ０．０７２
条件式（５）  Ｄｍ３／（ｆｗ×ｆｔ）1/2  ＝  ０．７３７
条件式（６）  Ｄｍ１／ｆｔ  ＝  ０．１９５
条件式（７）  Ｄ５／ｆｔ  ＝  ０．０１２
【手続補正１９】
【補正対象書類名】明細書
【補正対象項目名】０１３８
【補正方法】変更
【補正の内容】
【０１３８】
（表５）
［レンズ諸元］
面番号     Ｒ          Ｄ        ｎｄ        νｄ
物面       ∞
1    167.72217      1.800      1.91082      35.25
2     55.09912      5.600      1.49782      82.57
3   -965.01965      0.200
4     59.56122      4.100      1.49782      82.57
5    378.00626      0.200
6     59.75480      3.800      1.49782      82.57
7    316.10396      D7(可変)
8    246.62572      1.000      1.83481      42.73
9      7.52387      4.100
10   -22.79857      0.900      1.80400      46.60
11    52.48325      0.200
12    16.52991      3.000      1.92286      20.88
13   -44.82137      0.800      1.90366      31.31
14    50.86329      D14(可変)
15       ∞         0.750      (絞りＳ)
＊16     8.47611      2.400      1.59201      67.05
＊17  -129.86955      0.200
18    13.39687      2.000      1.59319      67.90
19   -76.62517      0.800      1.80440      39.61
20     7.21441      0.700
21    31.11171      1.500      1.48749      70.31
22   -25.22902      D22(可変)
23    75.00000      0.800      1.49782      82.57
24    25.05662      D24(可変)
25    14.77018      2.300      1.48749      70.31
26   -25.14848      0.800      1.91082      35.25
27   -72.04381      D27(可変)
28       ∞         0.210      1.51680      63.88
29       ∞         1.218
30       ∞         0.500      1.51680      63.88
31       ∞         Bf
像面       ∞
［非球面データ］
第16面
κ=-0.4295,A4=-3.92499E-05,A6= 0.00000E+00,A8= 0.00000E+00,A10=0.00000E+00
第17面
κ= 0.0000,A4= 3.20704E-05,A6= 0.00000E+00,A8= 0.00000E+00,A10=0.00000E+00
［全体諸元］
ズーム比  56.8188
広角端      中間１      中間２      望遠端
ｆ         4.39995    33.05440     90.64293    250.00000
ＦＮｏ     3.31882     5.19437      5.42079      6.63539
ω        44.16857     6.99514      2.57455      0.91209
２Ｙ       7.00000     8.10000      8.10000      8.10000
ＴＬ      94.05674   125.64910    138.62581    142.88913
Ｂｆ       0.53002     0.54579      0.54091      0.52999
［ズーミングデータ］
広角端      中間１      中間２      望遠端
D7         0.75908    40.52500     55.93337     62.40021
D14       37.94327    11.59355      6.61355      1.79999
D22        1.36757     8.14868      8.61750      6.95942
D24        5.87466     6.48834      6.61030     27.65176
D27        7.70414    18.46976     20.43217      3.66976
［ズームレンズ群データ］
群番号    群初面    群焦点距離   レンズ構成長
Ｇ１       1       81.51029       15.700
Ｇ２       8       -8.00815       10.000
Ｇ３      16       17.71254        7.600
Ｇ４      23      -75.79212        0.800
Ｇ５      25       34.52940        3.100
［条件式］
条件式（１）  （−ｆ２）／ｆｔ  ＝  ０．０３２
条件式（２）  νｄ１ａ  ＝  ４０．８０
条件式（３）  νｄ１ｂ＋νｄ１ｃ＋νｄ１ｄ  ＝  ２４７．７１
条件式（４）  ｆ３／ｆｔ  ＝  ０．０７１
条件式（５）  Ｄｍ３／（ｆｗ×ｆｔ）1/2  ＝  ０．７０４
条件式（６）  Ｄｍ１／ｆｔ  ＝  ０．１９５
条件式（７）  Ｄ５／ｆｔ  ＝  ０．０１２
【手続補正２０】
【補正対象書類名】明細書
【補正対象項目名】０１５１
【補正方法】変更
【補正の内容】
【０１５１】
（表６）
［レンズ諸元］
面番号     Ｒ          Ｄ        ｎｄ        νｄ
物面       ∞
1    833.13681      1.800      1.80610      40.97
2     66.30909      5.800      1.49782      82.57
3   -208.53753      0.200
4     71.38178      4.200      1.49782      82.57
5   1230.18913      0.200
6     52.31232      4.000      1.49782      82.57
7    212.73003      D7(可変)
8    238.52066      1.000      1.83481      42.73
9      8.02925      4.300
10   -33.51859      0.900      1.83481      42.73
11    14.81204      2.100      1.94595      17.98
12    47.49952      0.200
13    15.49846      1.800      1.84666      23.80
14    26.98580      D14(可変)
15       ∞         0.750      (絞りＳ)
＊16     8.52824      2.600      1.55332      71.67
＊17   -40.00994      0.200
18    10.64740      2.200      1.49782      82.57
19   -47.66378      0.800      1.83481      42.73
20     7.00961      0.800
21    17.50000      1.700      1.48749      70.31
22   -37.01486      D22(可変)
23   160.00000      0.900      1.49782      82.57
24    18.67754      D24(可変)
25    15.32767      2.400      1.56384      60.71
26   -29.23072      0.800      1.91082      35.25
27  -129.89969      D27(可変)
28       ∞         0.210      1.51680      63.88
29       ∞         1.218
30       ∞         0.500      1.51680      63.88
31       ∞         Bf
像面       ∞
［非球面データ］
第16面
κ=-0.4504,A4=-4.14853E-05,A6= 0.00000E+00,A8= 0.00000E+00,A10=0.00000E+00
第17面
κ= 0.0000,A4= 3.05542E-05,A6= 0.00000E+00,A8= 0.00000E+00,A10=0.00000E+00
［全体諸元］
ズーム比  56.8230
広角端      中間１      中間２      望遠端
ｆ         4.39963    33.16622     91.05806    250.00014
ＦＮｏ     3.27185     5.18345      5.61129      6.83029
ω        44.13000     6.96951      2.56346      0.91241
２Ｙ       7.00000     8.10000      8.10000      8.10000
ＴＬ      97.49160   124.62396    138.72911    144.07508
Ｂｆ       0.53118     0.53118      0.53118      0.53000
［ズーミングデータ］
広角端      中間１      中間２      望遠端
D7         0.80020    39.67426     55.12296     62.14415
D14       40.49583    11.90394      6.65793      1.89993
D22        0.92860     8.25026     10.40870      6.45483
D24        6.49720     6.58912      6.65361     27.93365
D27        6.66059    16.09721     17.77673      3.53452
［ズームレンズ群データ］
群番号    群初面    群焦点距離   レンズ構成長
Ｇ１       1       79.02001       16.200
Ｇ２       8       -8.29641       10.300
Ｇ３      16       16.58906        8.300
Ｇ４      23      -42.45669        0.900
Ｇ５      25       31.07203        3.200
［条件式］
条件式（１）  （−ｆ２）／ｆｔ  ＝  ０．０３３
条件式（２）  νｄ１ａ  ＝  ４０．９７
条件式（３）  νｄ１ｂ＋νｄ１ｃ＋νｄ１ｄ  ＝  ２４７．７１
条件式（４）  ｆ３／ｆｔ  ＝  ０．０６６
条件式（５）  Ｄｍ３／（ｆｗ×ｆｔ）1/2  ＝  ０．７１９
条件式（６）  Ｄｍ１／ｆｔ  ＝  ０．１８６
条件式（７）  Ｄ５／ｆｔ  ＝  ０．０１３